(57)【要約】【課題】大口径化され諸収差が良好に補正された７枚構成の小型の撮像レンズを提供すること。【解決手段】この撮像レンズ１０は、物体側から順に、物体側に凸面を向けた正の第１レンズＬ１と、負の第２レンズＬ２と、第３レンズＬ３と、第４レンズＬ４と、第５レンズＬ５と、第６レンズＬ６と、光軸ＡＸ近傍で像側に凹面を向けた負の第７レンズＬ７と、を備え、値ＣＴ２を第２レンズＬ２の中心厚とし、値ＥＴ２を第２レンズＬ２の縁厚として、１．５＜ＥＴ２/ＣＴ２＜３．０      …      （１）を満足するものとなっている。ただし、第２レンズＬ２の縁厚とは、第２レンズＬ２の物体側面Ｓ２１の有効径と像側面Ｓ２２の有効径とのうち小さい方の径の位置の光軸方向の厚みとする。【選択図】図１
2015072403.tif 000002
【特許請求の範囲】
【請求項１】
物体側より順に、正の第１レンズ、負の第２レンズ、第３レンズ、第４レンズ、第５レンズ、第６レンズ及び第７レンズからなり、
前記第７レンズの像側面は、非球面形状を有し、中心以外の有効径内に極値を有し、
下記の条件式を満たす、撮像レンズ。
１．５＜ＥＴ２/ＣＴ２＜３．０      …      （１）
ＣＴ２：前記第２レンズの中心厚
ＥＴ２：前記第２レンズの縁厚
ただし、前記第２レンズの縁厚とは、前記第２レンズの物体側面の有効径と像側面の有効径とのうち小さい方の径の位置の光軸方向の厚みとする
【請求項２】
前記第７レンズは、負レンズである、請求項１に記載の撮像レンズ。
【請求項３】
前記第７レンズは、光軸近傍において像側に凹面を向けている、請求項２に記載の撮像レンズ。
【請求項４】
前記第７レンズの物体側面は、非球面形状を有する、請求項１〜３のいずれか一項に記載の撮像レンズ。
【請求項５】
前記第３レンズから前記第６レンズまでの各レンズは、少なくとも片側に非球面を有する、請求項１〜４のいずれか一項に記載の撮像レンズ。
【請求項６】
前記第１レンズは、物体側に凸面を向けている、請求項１〜５のいずれか一項に記載の撮像レンズ。
【請求項７】
前記第２レンズは、像側に凹面を向けている、請求項１〜６のいずれか一項に記載の撮像レンズ。
【請求項８】
前記第２レンズは、物体側に凸面を向けたメニスカスレンズである、請求項７に記載の撮像レンズ。
【請求項９】
前記第６レンズは、像側に凸面を向けている、請求項１〜８のいずれか一項に記載の撮像レンズ。
【請求項１０】
前記第３レンズよりも物体側に開口絞りを有する、請求項１〜９のいずれか一項に記載の撮像レンズ。
【請求項１１】
前記第５レンズと前記第６レンズとの少なくとも一方は、正レンズである、請求項１〜１０に記載の撮像レンズ。
【請求項１２】
下記の条件式を満たす、請求項１〜１１のいずれか一項に記載の撮像レンズ。
０．４＜ｆ３４５６／ｆ＜１．１      …      （２）
ｆ３４５６：前記第３レンズから前記第６レンズまでの合成焦点距離
ｆ：全系の焦点距離
【請求項１３】
下記の条件式を満たす、請求項１〜１２のいずれか一項に記載の撮像レンズ。
０．５＜ｆ１／ｆ＜１．３      …      （３）
ｆ１：前記第１レンズの焦点距離
ｆ：全系の焦点距離
【請求項１４】
下記の条件式を満たす、請求項１〜１３のいずれか一項に記載の撮像レンズ。
−２．５＜ｆ２／ｆ＜−０．８      …      （４）
ｆ２：前記第２レンズの焦点距離
ｆ：全系の焦点距離
【請求項１５】
下記の条件式を満たす、請求項１〜１４のいずれか一項に記載の撮像レンズ。
−２．０＜ｆ７／ｆ＜−０．３０      …      （５）
ｆ７：前記第７レンズの焦点距離
ｆ：全系の焦点距離
【請求項１６】
下記の条件式を満たす、請求項１〜１５のいずれか一項に記載の撮像レンズ。
１．３＜ＣＴ１/ＥＴ１＜５．０      …      （６）
ＣＴ１：前記第１レンズの中心厚
ＥＴ１：前記第１レンズの縁厚
ただし、前記第１レンズの縁厚とは、前記第１レンズの物体側面の有効径と像側面の有効径とのうち小さい方の径の位置の光軸方向の厚みとする
【請求項１７】
前記第３レンズよりも物体側に開口絞りを含め少なくとも二つの所定の開口を持った絞り部材を有し、
前記絞り部材のうち開口径が最も小さい絞り部材は最も像側に配置され、
下記の条件式を満たす、請求項１〜１７のいずれか一項に記載の撮像レンズ。
１．０５＜Φｍａｘ／Φｍｉｎ＜１．４５      …      （７）
Φｍａｘ：前記第３レンズよりも物体側に配置された絞り部材の開口径のうち最も大きい開口径
Φｍｉｎ：前記第３レンズよりも物体側に配置された絞り部材の開口径のうち最も小さい開口径
【請求項１８】
下記条件式を満たす、請求項１〜１７のいずれか一項に記載の撮像レンズ。
１．０＜ΦＬ１/ΦＬ２＜１．２      …      （８）
ΦＬ１：前記第１レンズの最大有効径
ΦＬ２：前記第２レンズの最大有効径
【請求項１９】
下記の条件式を満たす、請求項１〜１８のいずれか一項に記載の撮像レンズ。
０．５１＜ΦＬ１／ｆ＜０．７５      …      （９）
ΦＬ１：前記第１レンズの最大有効径
ｆ：全系の焦点距離
【請求項２０】
前記第３レンズの像側面は、有効径の８割以上の領域が物体側に傾いており、
前記第３レンズは、有効径の端付近において正のパワーを持ち、
前記第４レンズの像側面は、有効径の８割以上の領域が物体側に傾いており、
前記第４レンズは、有効径の端付近において正のパワーを持ち、
前記第５レンズは、有効径の端付近において負のパワーを持つ、請求項１〜１９のいずれか一項に記載の撮像レンズ。
【請求項２１】
下記の条件式を満たす、請求項１〜２０のいずれか一項に記載の撮像レンズ。
０．０５＜Ｌ５Ｔ／ＴＴＬ＜０．１５      …      （１０）
Ｌ５Ｔ：前記第５レンズの物体側面における物体側への最凸部から、像側面における像側への最凸部までの光軸方向の距離
ＴＴＬ：光学全長
【請求項２２】
下記の条件式を満たす、請求項１〜２１のいずれか一項に記載の撮像レンズ。
１０°＜θＳ８＜６０°      …      （１１）
−２５°＜θＳ１０＜１０°      …      （１２）
θＳ８：前記第４レンズ像側面の有効径内の最大面角度
θＳ１０：前記第５レンズ像側面の有効径の８割〜１０割における最小面角度
ただし、面角度とは、光軸垂線と平行を０°とし、物体側に傾いている場合に正の値、像側に傾いている場合に負の値とする
【請求項２３】
実質的にパワーを持たない光学素子をさらに有する、請求項１〜２２のいずれか一項に記載の撮像レンズ。
【請求項２４】
請求項１〜２３のいずれか一項に記載の撮像レンズと、前記撮像素子とを備える、撮像装置。
【請求項２５】
請求項２４に記載の撮像装置を備える、携帯端末。
【発明の詳細な説明】
【技術分野】
【０００１】
本発明は、小型の撮像レンズ、並びにこれを組み込んだ撮像装置及び携帯端末に関し、特に７枚のレンズを有する低背に好適な撮像レンズ、撮像装置、及び携帯端末に関する。
【背景技術】
【０００２】
近年、ＣＣＤ（Charge Coupled Device）型イメージセンサーあるいはＣＭＯＳ（Complementary Metal Oxide Semiconductor）型イメージセンサー等の固体撮像素子を用いた撮像素子の高性能化及び小型化に伴い、撮像装置を備えた携帯電話や携帯情報端末が普及しつつある。さらに最近では、上記のような携帯情報端末等に搭載される表示素子の大型化・高精細化を受け、撮像素子も高画素化が求められており、これらの携帯情報端末等に搭載される撮像レンズに対しては、さらなる高性能化への要求が高まっている。このような用途の撮像レンズとして、５枚や６枚構成の撮像レンズが提案されている。最近では、さらなる高性能化を目指し５枚や６枚構成のレンズに比べ収差補正能力の優れた７枚構成のレンズも提案されている（例えば特許文献１、２等参照）。
【０００３】
撮像素子に対する高画素化の要求の一方で、撮像装置の小型化の要求も強く、撮像素子については、高画素化と小型化とを両立するために、画素サイズの小型化が進んでいる。撮像素子の画素サイズが小さくなると、その分１画素当たりで受光できる光量が減少するため、Ｓ／Ｎ比が小さくなることによるノイズや、露光時間が長くなるため発生する手振れによる画像劣化が問題となる。この１画素当たりで受光できる光量の減少に起因する問題の対策のため、より明るいレンズが求められており、最近ではＦ１．９以下の大口径のレンズが求められている。一方で、大口径化は、受光光量の増加には寄与するが、球面収差やコマ収差などの単色収差の発生に繋がり、光学性能を劣化させてしまう。上記特許文献１には、第１レンズが正で、第２レンズが負で、７枚構成の撮像レンズが記載されているが、いずれもＦ２．０以上の暗い撮像レンズであり、十分な大口径化ができていない。また、これらの撮像レンズは、第２レンズの負のパワーが弱い傾向があり、Ｆ１．９以下に大口径化した際にコマ収差の補正が不足することが予想される。またコマ収差の補正が良好にできたとしても色収差の補正が困難になり、性能の維持が難しい。一方、上記特許文献２には、第１レンズが負で、第２レンズが正で、７枚構成の撮像レンズが記載されているが、上記特許文献１と同じくＦ２．０以上の暗い撮像レンズしか記載されておらず、十分な大口径化ができていない。また、大口径化の際に各レンズの有効径が大きくなると、それに伴い光軸方向への厚みも増加するため、光学全長の短縮が難しくなる。
【先行技術文献】
【特許文献】
【０００４】
【特許文献１】中国実用新案公告第２０２８８６７２０号明細書
【特許文献２】中国実用新案公告第２０２８８６７１３号明細書
【発明の概要】
【０００５】
本発明は、このような問題点に鑑みてなされたものであり、従来タイプと同程度の小型の撮像レンズとしつつも、大口径化された上で、諸収差が良好に補正された、７枚構成の撮像レンズを提供することを目的とする。ここで、小型の撮像レンズの尺度であるが、本発明では下式を満たすレベルの小型化を目指している。この範囲を満たすことで、撮像装置全体の小型軽量化が可能となる。
Ｌ／２Ｙ＜１．００      …      （１３）
ただし、
Ｌ：撮像レンズ全系の最も物体側のレンズ面から像側焦点までの光軸上の距離
２Ｙ：撮像素子の撮像面対角線長（撮像素子の矩形実効画素領域の対角線長）
ここで、像側焦点とは、撮像レンズに光軸と平行な平行光線が入射した場合の像点をいう。なお、撮像レンズの最も像側の面と像側焦点位置との間に、光学的ローパスフィルター、赤外線カットフィルター、又は撮像素子パッケージのシールガラス等の平行平板が配置される場合には、平行平板部分は空気換算距離としたうえで上記Ｌの値を計算するものとする。
【０００６】
値Ｌ／２Ｙについては、より望ましくは、下式の範囲がよい。
Ｌ／２Ｙ＜０．９５      …      （１３）'
【０００７】
上記目的を達成するため、本発明に係る撮像レンズは、物体側より順に、正の第１レンズ、負の第２レンズ、第３レンズ、第４レンズ、第５レンズ、第６レンズ及び第７レンズからなり、第７レンズの像側面は、非球面形状を有し、中心以外の有効径内に極値を有し、下記の条件式を満たす。
１．５＜ＥＴ２/ＣＴ２＜３．０      …      （１）
ＣＴ２：第２レンズの中心厚
ＥＴ２：第２レンズの縁厚
ただし、第２レンズの縁厚とは、第２レンズの物体側面の有効径と像側面の有効径とのうち小さい方の径の位置の光軸方向の厚みとする。
なお、有効径とは、最大像高へ到達する光線束のうち、最も光軸から離れた位置を通過する光線の通過高さのことを示す。また、極値とは、有効半径内でのレンズ断面形状の曲線において、非球面頂点の接平面又は接線が光軸と垂直な平面又は線分となるような非球面上の点のことである。
【０００８】
本発明に係る撮像レンズにおいては、最も物体側の第１レンズを正レンズとすることで、全系の主点位置が物体側に寄るため、光学全長の短縮に有利になる。また、第２レンズに負レンズを配置することで、軸上光束径の広い位置に負レンズを配置できるため、色収差の補正効果を高めることができ、高性能化することができる。また、第７レンズの像側面を有効径内の中心以外に極値又は変曲点を持った非球面とすることで、周辺像高の光線が撮像面へ入射する際の入射角を小さく抑えることが可能になるため、撮像素子を用いた場合のセンサーの受光効率を向上させることができる。
【０００９】
本発明の撮像レンズに関する条件式（１）は、第２レンズの中心厚と縁厚との比を規定したものである。条件式（１）の下限を上回ることで第２レンズが中心厚に比べて縁厚の厚いレンズとなるため、強い負のパワーを持つことができるようになり、大口径化する場合に劣化しやすいコマ収差の補正を良好にしつつ、第１レンズで発生した色収差の補正も併せて良好にすることができる。一方、条件式（１）の上限を下回ることで、中心厚に比べて縁厚が厚くなり過ぎず、第２レンズが過剰に負のパワーを持つことが無いため、強い負のパワーによる球面収差及びコマ収差の過剰補正を防ぐことができる。また、中心厚と縁厚の差が大き過ぎることによるレンズ成形の難易度上昇も防ぐことができる。
条件式（１）の値については、より望ましくは、下式の範囲がよい。
１．７５＜ＥＴ２/ＣＴ２＜２．５      …      （１）'
【００１０】
本発明の具体的な側面によれば、上記撮像レンズにおいて、第７レンズは負レンズである。例えばオートフォーカスの撮像装置においては、撮像レンズと撮像面又はセンサーとの距離を変動させるため、レンズと撮像面との距離は、調整余裕を持たせるために、ある程度大きいことが求められる。最終レンズの第７レンズを負レンズとすることで、撮像レンズと撮像面とを遠ざけることになるためバックフォーカスを確保することができる。
【００１１】
本発明の別の側面によれば、第７レンズは光軸近傍において像側に凹面を向けている。第７レンズが像側に凹面を向けることで、負の第７レンズの位置が主点位置に対して物体側に寄るため、バックフォーカスを伸ばすのに有利になる。
【００１２】
本発明のさらに別の側面によれば、第７レンズの物体側面は非球面形状を有する。第７レンズの物体側面を非球面形状とすることで、光軸付近と周辺部とで異なるパワーを持たせることが可能になるため、軸上光線と周辺光線との両方に対し最適な収差補正ができるようになる。
【００１３】
本発明のさらに別の側面によれば、第３レンズから第６レンズまでの各レンズは少なくとも片側に非球面を有する。第３レンズから第６レンズまでの各々を少なくとも片面が非球面からなるレンズとすることで、光軸付近と周辺部とで異なるパワーを持たせることが可能になるため、軸上光線と周辺光線との両方に対し最適な収差補正ができるようになる。非球面形状の自由度から、有効径内のサグ量を小さく抑えることもできるようになるため、各レンズの光軸方向に占める領域を小さく抑えることができ、光学全長の短縮に有利になる。
【００１４】
本発明のさらに別の側面によれば、第１レンズは物体側に凸面を向けている。第１レンズが物体側に凸面を向けることで、正の第１レンズの主点位置が物体側へ移動するため、焦点距離を維持しつつ光学全長を小さくすることができる。
【００１５】
本発明のさらに別の側面によれば、第２レンズは像側に凹面を向けている。軸上光線束は、正の第１レンズによって収束されて第２レンズに入射するが、第２レンズが像側に凹面を向けることで、軸上光線束の第２レンズ像側面への入射角が小さくなるため、球面収差の発生を小さくすることができる。
【００１６】
本発明のさらに別の側面によれば、第２レンズは物体側に凸面を向けたメニスカスレンズである。さらに、第２レンズを物体側に凸面を向けたメニスカスレンズとすることで、軸上光束の第２レンズの両面への入射角が小さくなるため、球面収差の発生を小さくすることができる。
【００１７】
本発明のさらに別の側面によれば、第６レンズは像側に凸面を向けている。第６レンズが像側に凸面を向けていることで、軸上光線束に対しては、第１レンズと正のパワーを分担できるため、第１レンズに過剰な正のパワーを持たせる必要がなくなり、球面収差の発生を抑えることができる。一方で周辺光線束に対しては、入射角が小さくなるため、コマ収差の発生を抑えることができる。
【００１８】
本発明のさらに別の側面によれば、第３レンズよりも物体側に開口絞りを有する。開口絞りを第３レンズよりも物体側に配置することで、射出瞳を撮像面から遠ざけることができるため、センサー入射角を小さく抑えることができる。
【００１９】
本発明のさらに別の側面によれば、第５レンズと第６レンズとの少なくとも一方は、正レンズである。像面湾曲や非点収差への影響については、撮像面に近く、軸上の光線束と周辺に結像する光線束とが、光学面内の異なる位置を通過するレンズでの影響が大きく、これらの収差を補正するためには、撮像面に近いレンズに正負のパワーをバランスよく持たせる必要がある。第５レンズや第６レンズは撮像面に近いレンズであるため、第７レンズとの関係で正のパワーを持たせることで、全系のパワーにおいては第１レンズと正のパワーを分担しつつ、像面湾曲や非点収差の補正を良好にすることができる。
【００２０】
本発明のさらに別の側面によれば、下記の条件式を満たす。
０．４＜ｆ３４５６／ｆ＜１．１      …      （２）
ｆ３４５６：第３レンズから第６レンズまでの合成焦点距離
ｆ：全系の焦点距離（以下省略）
【００２１】
条件式（２）は、第３レンズから第６レンズの合成焦点距離と全系の焦点距離の比を規定している。第１レンズを第１群、第２レンズを第２群、第３レンズから第６レンズまでを第３群、第７レンズを第４群と見た時に、第３群の正のパワーが強くなると、全系の主点位置が像側に寄せられるため、焦点距離が短くなってしまい広角化するか、焦点距離を維持しようとすると、光学全長が大きくなってしまう。条件式（２）の下限を上回ることで、第３群の正のパワーが強くなり過ぎないため、焦点距離を維持しつつ、光学全長の短縮に有利になる。一方、条件式（２）の上限を下回ることで、第３群がある程度正のパワーを持つことになるため、第１レンズと正のパワーを分担することができ、収差補正に有利になる。
【００２２】
条件式（２）の値については、より望ましくは、下式の範囲がよい。
０．４５＜ｆ３４５６／ｆ＜０．８      …      （２）'
さらに望ましくは下記の範囲を満たす。
０．４５＜ｆ３４５６／ｆ＜０．６      …      （２）"
【００２３】
本発明のさらに別の側面によれば、下記の条件式を満たす。
０．５＜ｆ１／ｆ＜１．３      …      （３）
ｆ１：第１レンズの焦点距離
【００２４】
条件式（３）は、第１レンズの焦点距離と全系の焦点距離との比を規定している。条件式（３）の下限を上回ることで、第１レンズのパワーが強くなり過ぎないため、球面収差やコマ収差の発生を抑えることができる。一方、条件式（３）の上限を下回ることで、第１レンズが強いパワーを持つことになるため、全系の主点位置が物体側に寄り、焦点距離を維持したまま光学全長を小さくすることができる。
【００２５】
条件式（３）の値については、より望ましくは、下式の範囲がよい。
０．６５＜ｆ１／ｆ＜１．１      …      （３）'
さらに望ましくは下記の範囲を満たす。
０．８０＜ｆ１／ｆ＜０．９５      …      （３）"
【００２６】
本発明のさらに別の側面によれば、下記の条件式を満たす。
−２．５＜ｆ２／ｆ＜−０．８      …      （４）
ｆ２：第２レンズの焦点距離
【００２７】
条件式（４）は、第２レンズの焦点距離と全系の焦点距離との比を規定している。負の第２レンズには、正の第１レンズで発生した球面収差やコマ収差の補正、さらに色収差の補正の効果がある。条件式（４）の上限を下回ることで過剰補正を回避し、下限を上回ることで補正不足になることが無くなり、最適な収差補正をすることができる。
【００２８】
条件式（４）の値については、より望ましくは、下式の範囲がよい。
−２．０＜ｆ２／ｆ＜−０．９      …      （４）'
さらに望ましくは下記の範囲を満たす。
−１．５＜ｆ２／ｆ＜−１．０      …      （４）"
【００２９】
本発明のさらに別の側面によれば、下記の条件式を満たす。
−２．０＜ｆ７／ｆ＜−０．３０      …      （５）
ｆ７：第７レンズの焦点距離
【００３０】
条件式（５）は、第７レンズの焦点距離と全系の焦点距離との比を規定している。第７レンズは最も像側に配置されるレンズであり、負の焦点距離を持たせることで、同じ光学全長のままバックフォーカスを伸ばすことが可能になる。条件式（５）の下限を上回ることで、第７レンズがある程度強いパワーを持つことになるため、十分なバックフォーカスの確保が可能になる。一方、条件式（５）の上限を下回ることで、第７レンズが過剰に負のパワーを持ち、バックフォーカスが長くなり過ぎることによって光学全長が増大するのを防ぐことができる。
【００３１】
条件式（５）の値については、より望ましくは、下式の範囲がよい。
−１．５＜ｆ７／ｆ＜−０．３５      …      （５）'
さらに望ましくは下記の範囲を満たす。
−１．０＜ｆ７／ｆ＜−０．４０      …      （５）"
【００３２】
本発明のさらに別の側面によれば、下記の条件式を満たす。
１．３＜ＣＴ１/ＥＴ１＜５．０      …      （６）
ＣＴ１：第１レンズの中心厚
ＥＴ１：第１レンズの縁厚
ただし、第１レンズの縁厚とは、第１レンズの物体側面の有効径と像側面の有効径とのうち小さい方の径の位置の光軸方向の厚みとする
【００３３】
条件式（６）は、第１レンズの中心厚と縁厚との比を規定している。条件式（６）の下限を上回るとき、第１レンズは中心厚が縁厚の１．３倍以上の厚みを持つことになる。大口径化に伴い第１レンズの有効径が大きくなっても、この程度中心厚を厚くすることで、縁厚をある程度確保しつつ、第１レンズに強い正のパワーを持たせ光学全長の短縮を可能にできる。一方で、縁厚と中心厚の厚みに大きな差があると、樹脂でレンズを成形する場合に成形性が悪くなるという傾向が一般に知られている。条件式（６）の上限を下回ることで、縁厚に対し中心厚が大きくなり過ぎないため、レンズの成形性を良好にすることができる。
【００３４】
条件式（６）の値については、より望ましくは、下式の範囲がよい。
１．５＜ＣＴ１/ＥＴ１＜４．０      …      （６）'
さらに望ましくは下記の範囲を満たす。
１．５＜ＣＴ１/ＥＴ１＜３．０      …      （６）"
【００３５】
本発明のさらに別の側面によれば、第３レンズよりも物体側に開口絞りを含め少なくとも２つの所定の開口を持った絞り部材を有し、絞り部材のうち開口径が最も小さい絞り部材は最も像側に配置され、下記の条件式を満たす。
１．０５＜Φｍａｘ／Φｍｉｎ＜１．４５      …      （７）
Φｍａｘ：第３レンズよりも物体側に配置された絞り部材の開口径のうち最も大きい開口径
Φｍｉｎ：第３レンズよりも物体側に配置された絞り部材の開口径のうち最も小さい開口径
【００３６】
大口径レンズにおいては、コマ収差の発生が顕著になり、補正することが難しい。コマ収差を改善させるためには、開口絞り以外に遮光絞りを配置し、周辺像高に結像する光束のコマ収差に寄与する光線を遮断することが考えられる。第３レンズより物体側に少なくとも２つの絞り部材を持ち、その絞り部材のうち、最小の開口径を持つ絞り部材を最も像側に配置することで、コマ収差に寄与する光線を効率的に遮断することができるため、光学性能を向上させることができる。条件式（７）は、第３レンズより物体側に配置された絞り部材の最大の開口径と最小の開口径との比を規定している。条件式（７）の範囲を満たすことで、２つの絞り部材の開口径を適切にし、周辺像高の光を十分遮断しコマ収差を改善することができる。
【００３７】
条件式（７）の値については、より望ましくは、下式の範囲がよい。
１．１５＜Φｍａｘ／Φｍｉｎ＜１．４０      …      （７）'
さらに望ましくは下記の範囲を満たす。
１．２５＜Φｍａｘ／Φｍｉｎ＜１．３５      …      （７）"
【００３８】
本発明のさらに別の側面によれば、下記条件式を満たす。
１．０＜ΦＬ１/ΦＬ２＜１．２      …      （８）
ΦＬ１：第１レンズの最大有効径
ΦＬ２：第２レンズの最大有効径
【００３９】
条件式（８）は、第１レンズの有効径と第２レンズの有効径との比を規定している。第２レンズは、軸上光線束に対しては軸上色収差や球面収差の補正、周辺光線束に対してはコマ収差の補正の効果がある。低背化する際に強い正のパワーを持った第１レンズで発生する上記の諸収差を補正するために第２レンズには強いパワーが必要になる。しかしながら、第２レンズの有効径が大きくなってしまうと、軸上光線束と周辺光線束とが第２レンズの異なる位置を通過することになるため、軸上光線束と周辺光線束との両方に対して強いパワーを発揮することができない。条件式（８）の下限を上回ることで、第２レンズの有効径が小さくなり、軸上光線束と周辺光線束とが第２レンズ内の近い位置を通過するようになる。結果として、両方に対して強いパワーを発揮できるようになるため、球面収差及び軸上色収差と、コマ収差との両方を補正することが可能になる。一方、条件式（８）の上限を下回ることで、第２レンズの有効径が小さくなり過ぎ、周辺像高の光線束のケラレ又は遮断によって周辺像高の光量が不足するのを防ぐことができる。また、第１レンズの有効径が大きくなり過ぎ、第１レンズが光軸方向に厚くなってしまうことによる光学全長の大型化を避けることができる。
【００４０】
条件式（８）の値については、より望ましくは、下式の範囲がよい。
１．０５＜ΦＬ１／ΦＬ２＜１．２０      …      （８）'
さらに望ましくは下記の範囲を満たす。
１．１０＜ΦＬ１／ΦＬ２＜１．２０      …      （８）"
【００４１】
本発明のさらに別の側面によれば、下記条件式を満たす。
０．５１＜ΦＬ１／ｆ＜０．７５      …      （９）
ΦＬ１：第１レンズの最大有効径
【００４２】
条件式（９）は、第１レンズの有効径と全系の焦点距離との比を規定している。第１レンズは、最も物体側のレンズであり、大口径化する場合には有効径を大きくする必要がある。一方で、有効径の大きいレンズに強いパワーを持たせると、球面収差やコマ収差の発生が大きくなるため、収差補正が困難になる。条件式（９）の下限を上回ることにより、第１レンズの有効径が大きくなるため、大口径化が可能になる。一方、条件式（９）の上限を下回ることにより、第１レンズの有効径が大きくなり過ぎないため、強い正のパワーを持たせることが可能になり、大口径化しつつも低背化が可能になる。
【００４３】
条件式（９）の値については、より望ましくは、下式の範囲がよい。
０．６０＜ΦＬ１／ｆ＜０．７２      …      （９）'
【００４４】
本発明のさらに別の側面によれば、第３レンズの像側面は有効径の８割以上の領域が物体側に傾いており、第３レンズは有効径の端付近において正のパワーを持ち、第４レンズの像側面は有効径の８割以上の領域が物体側に傾いており、第４レンズは有効径の端付近において正のパワーを持ち、第５レンズは、有効径の端付近において負のパワーを持つ。ただし、ここでレンズのパワーとは、レンズに対し平行光を入射した際に、光線が光軸に近付く方向に屈折される場合を正のパワー、光軸から遠ざかる方向に屈折される場合を負のパワーを持つとする。
大口径レンズでは、周辺像高のコマ収差が大きくなるため、できるだけコマ収差が小さくなる構成が望ましい。第３レンズと第４レンズとの周辺部を正のパワーとすることで、周辺像高へ結像する光束が収束され小さくなり、次のレンズに入射する上下の開口端を通る光の入射角の差が小さくなるため、次のレンズ以降で発生するコマ収差の発生を小さくできる。同時に第３レンズと第４レンズとの周辺部の像側面を物体側に傾けることで、周辺へ向かう光線の入射角が小さくなるため、コマ収差の発生を小さくすることができる。また、第５レンズの周辺部を負のパワーとすることで、第３レンズと第４レンズとの周辺部の正のパワーで発生したコマ収差や像面湾曲などの収差を補正することができる。
【００４５】
本発明のさらに別の側面によれば、下記の条件式を満たす。
０．０５＜Ｌ５Ｔ／ＴＴＬ＜０．１５      …      （１０）
Ｌ５Ｔ：第５レンズの物体側面における物体側への最凸部から、像側面における像側への最凸部までの光軸方向の距離
ＴＴＬ：光学全長（最も物体側にある部材から撮像面までの距離）
【００４６】
条件式（１０）は、第５レンズの物体側の有効径内における物体側への最凸部から、像側の有効径内における像側への最凸部までの光軸方向の距離と全系の焦点距離の比を規定している。値Ｌ５Ｔは、つまり第５レンズの光学面が光軸方向に占める領域の幅を表わしており、大き過ぎると光学全長の短縮の妨げとなり、小さ過ぎると第５レンズが小さなパワーしか持てず、像面湾曲などの収差補正が困難になる。条件式（１０）を満たすことで、収差補正と光学全長の短縮とをバランスよく達成することができる。
【００４７】
本発明のさらに別の側面によれば、下記の条件式を満たす。
１０°＜θＳ８＜６０°      …      （１１）
−２５°＜θＳ１０＜１０°      …      （１２）
θＳ８：第４レンズの像側面の有効径内の最大面角度
θＳ１０：第５レンズの像側面の有効径の８割〜１０割における最小面角度
ただし、面角度とは、光軸垂線と平行を０°とし、物体側に傾いている場合に正の値、像側に傾いている場合に負の値とする。
【００４８】
条件式（１１）は、第４レンズ像側面の有効径内における最大面の角度を規定している。条件式（１１）の下限を上回ることで、第４レンズの像側面は周辺部が物体側に傾く形状になり、入射する光線に対し、垂直に近い角度とできるため、コマ収差の発生を小さくすることができる。一方、面角度が大きくなり過ぎると、レンズの成形が難しくなるが、条件式（１１）の上限を下回ることで、レンズの成形が容易になる。
条件式（１１）の値については、より望ましくは、下式の範囲がよい。
２５°＜θＳ８＜５０°      …      （１１）'
一方、条件式（１２）は、第５レンズ像側面の有効径８割より外側における最小の面角度を規定している。条件式（１２）の上限を下回ることで、第５レンズ像側面の周辺部は光軸垂直に近付き、入射してくる光線を屈折させ光軸から遠ざかる方向へ跳ね上げる効果を持たせることができ、負の第２レンズと屈折を分担させることができるため、コマ収差の発生を抑えることができる。一方、条件式（１２）の下限を上回ることで、第５レンズ像側面の周辺部は像側に傾き過ぎず、光線の屈折が大きくなり過ぎないため、コマ収差の発生を抑えることができる。
【００４９】
条件式（１２）の値については、より望ましくは、下式の範囲がよい。
−１０°＜θＳ１０＜５°      …      （１２）'
【００５０】
本発明のさらに別の側面では、実質的にパワーを持たない光学素子をさらに有する。
【００５１】
本発明に係る撮像装置は、上述の撮像レンズと、撮像素子とを備える。本発明の撮像レンズを用いることで、小型で明るく高性能の撮像装置を得ることができる。
【００５２】
本発明に係る携帯端末は、上述の撮像装置を備える。本発明の撮像装置を用いることで、小型で高性能の携帯端末を得ることができる。
【図面の簡単な説明】
【００５３】
【図１】本発明の一実施形態の撮像レンズを備える撮像装置を説明する図である。
【図２】レンズや絞り部材の状態を説明する部分拡大断面図である。
【図３】図１の撮像装置を備える携帯端末を説明するブロック図である。
【図４】（Ａ）及び（Ｂ）は、それぞれ携帯端末の表面側及び裏面側の斜視図である。
【図５】実施例１の撮像レンズの断面図である。
【図６】（Ａ）〜（Ｅ）は、実施例１の撮像レンズの収差図である。
【図７】実施例２の撮像レンズの断面図である。
【図８】（Ａ）〜（Ｅ）は、実施例２の撮像レンズの収差図である。
【図９】実施例３の撮像レンズの断面図である。
【図１０】（Ａ）〜（Ｅ）は、実施例３の撮像レンズの収差図である。
【図１１】実施例４の撮像レンズの断面図である。
【図１２】（Ａ）〜（Ｅ）は、実施例４の撮像レンズの収差図である。
【図１３】実施例５の撮像レンズの断面図である。
【図１４】（Ａ）〜（Ｅ）は、実施例５の撮像レンズの収差図である。
【図１５】実施例６の撮像レンズの断面図である。
【図１６】（Ａ）〜（Ｅ）は、実施例６の撮像レンズの収差図である。
【図１７】実施例７の撮像レンズの断面図である。
【図１８】（Ａ）〜（Ｅ）は、実施例７の撮像レンズの収差図である。
【図１９】実施例８の撮像レンズの断面図である。
【図２０】（Ａ）〜（Ｅ）は、実施例８の撮像レンズの収差図である。
【図２１】実施例９の撮像レンズの断面図である。
【図２２】（Ａ）〜（Ｅ）は、実施例９の撮像レンズの収差図である。
【図２３】実施例１０の撮像レンズの断面図である。
【図２４】（Ａ）〜（Ｅ）は、実施例１０の撮像レンズの収差図である。
【発明を実施するための形態】
【００５４】
以下、図１等を参照して、本発明の一実施形態である撮像レンズ等について説明する。なお、図１で例示した撮像レンズ１０は、後述する実施例１の撮像レンズ１１と同一の構成となっている。
【００５５】
図１は、本発明の一実施形態である撮像レンズを備えるカメラモジュールを説明する断面図である。
【００５６】
カメラモジュール５０は、被写体像を形成する撮像レンズ１０と、撮像レンズ１０によって形成された被写体像を検出する撮像素子５１と、この撮像素子５１を背後から保持するとともに配線等を有する配線基板５２と、撮像レンズ１０等を保持するとともに物体側からの光束を入射させる開口部ＯＰを有する鏡筒部５４とを備える。撮像レンズ１０は、被写体像を撮像素子５１の像面又は撮像面（被投影面）Ｉに結像させる機能を有する。このカメラモジュール５０は、後述する撮像装置に組み込まれて使用されるが、単独でも撮像装置と呼ぶものとする。
【００５７】
撮像レンズ１０は、物体側から順に、第１レンズＬ１と、第２レンズＬ２と、第３レンズＬ３と、第４レンズＬ４と、第５レンズＬ５と、第６レンズＬ６と、第７レンズＬ７とを備える。これらの第１〜第７レンズＬ１〜Ｌ７の間、第１レンズＬ１の物体側等の適所には、開口絞りＡＳや遮光絞りＦＳが絞り部材として配置されている。
【００５８】
撮像レンズ１０は、小型であり、その尺度として、以下の式（１３）を満たすレベルの小型化を目指している。
Ｌ／２Ｙ＜１．００      …      （１３）
ここで、Ｌは、撮像レンズ１０全系の最も物体側のレンズ面（物体側面Ｓ１１）から像側焦点までの光軸ＡＸ上の距離であり、２Ｙは、撮像素子５１の撮像面対角線長（撮像素子５１の矩形実効画素領域の対角線長）であり、像側焦点とは、撮像レンズ１０に光軸ＡＸと平行な平行光線が入射した場合の像点をいう。この範囲を満たすことで、カメラモジュール５０全体の小型化が可能となる。
【００５９】
なお、撮像レンズ１０の最も像側の面（像側面Ｓ７２）と像側焦点位置との間に、光学的ローパスフィルター、赤外線カットフィルター、又は撮像素子パッケージのシールガラス等の平行平板Ｆが配置される場合には、平行平板Ｆ部分は空気換算距離としたうえで上記Ｌの値を計算するものとする。また、より望ましくは下式の範囲とする。
Ｌ／２Ｙ＜０．９５      …      （１３）'
【００６０】
撮像素子５１は、固体撮像素子からなるセンサーチップである。撮像素子５１の光電変換部５１ａは、ＣＣＤ（電荷結合素子）やＣＭＯＳ（相補型金属酸化物半導体）からなり、入射光をＲＧＢ毎に光電変換し、そのアナログ信号を出力する。受光部としての光電変換部５１ａの表面は、像面又は撮像面（被投影面）Ｉとなっている。
【００６１】
配線基板５２は、撮像素子５１を他の部材（例えば鏡筒部５４）に対してアライメントして固定する役割を有する。配線基板５２は、外部回路から撮像素子５１や駆動機構５５ａを駆動するための電圧や信号の供給を受けたり、また、検出信号を上記外部回路へ出力したりすることを可能としている。
【００６２】
撮像素子５１の撮像レンズ１０側には、不図示のホルダー部材によって、平行平板Ｆが撮像素子５１等を覆うように配置・固定されている。
【００６３】
鏡筒部５４は、撮像レンズ１０を収納し保持している。鏡筒部５４は、撮像レンズ１０を構成するレンズＬ１〜Ｌ７のうちいずれか１つ以上のレンズを光軸ＡＸに沿って移動させることにより、撮像レンズ１０の合焦の動作を可能にするため、例えば駆動機構５５ａを有している。駆動機構５５ａは、例えばボイスコイルモーターとガイドとを備え、特定の又は全部のレンズを光軸ＡＸに沿って往復移動させる。
【００６４】
撮像レンズ１０を構成する第１〜第７レンズＬ１〜Ｌ７は、図示を省略しているが、周囲外側に支持用の比較的肉厚のフランジ部をそれぞれ有しており、フランジ部を介して隣接するレンズと積層され、鏡筒部分５４ａ内に保持されている。
【００６５】
図２等を参照して、鏡筒部５４内に保持される撮像レンズ１０の状態を説明する。撮像レンズ１０を構成する第１〜第７レンズＬ１〜Ｌ７は、支持用のフランジ部３９をそれぞれ有しており、フランジ部３９を介して隣接するレンズと積層され、鏡筒部分５４ａ内に保持されている。これらのレンズＬ１〜Ｌ７の間には、フランジ部３９に挟まれて１つの開口絞りＡＳと５つの遮光絞りＦＳとが配置され、迷光の発生を防止している。鏡筒部分５４ａの物体側には、レンズＬ１の有効径の周囲を覆うような開口絞りＦＳが形成されている。第７レンズＬ７のフランジ部３９の像側にも遮光絞りＦＳが配置されている。以上の開口絞りＡＳや遮光絞りＦＳは、いずれも結像に寄与する光線を選択的に通過させるための絞り部材である。
【００６６】
次に、図３、図４（Ａ）及び４（Ｂ）を参照して、図１に例示されるカメラモジュール５０を搭載した携帯電話機その他の携帯端末３００の一例について説明する。
【００６７】
携帯端末３００は、スマートフォン型の携帯通信端末であり、カメラモジュール５０を有する撮像装置１００と、各部を統括的に制御するとともに各処理に応じたプログラムを実行する制御部（ＣＰＵ）３１０と、通信に関連するデータ、撮像した映像等を表示するとともにユーザーの操作を受け付けるタッチパネルである表示操作部３２０と、電源スイッチ等を含む操作部３３０と、アンテナ３４１を介して外部サーバー等との間の各種情報通信を実現するための無線通信部３４０と、携帯端末３００のシステムプログラムや各種処理プログラム及び端末ＩＤ等の必要な諸データを記憶している記憶部（ＲＯＭ）３６０と、制御部３１０によって実行される各種処理プログラムやデータ、処理データ、若しくは撮像装置１００による撮像データ等を一時的に格納する作業領域として用いられる一時記憶部（ＲＡＭ）３７０とを備えている。
【００６８】
撮像装置１００は、既に説明したカメラモジュール５０のほかに、制御部１０３、光学系駆動部１０５、撮像素子駆動部１０７、画像メモリー１０８等を備える。
【００６９】
制御部１０３は、撮像装置１００の各部を制御する。制御部１０３は、ＣＰＵ（Central Processing Unit）、ＲＡＭ（Random Access Memory）、ＲＯＭ（Read Only Memory）等を含み、ＲＯＭから読み出されてＲＡＭに展開された各種プログラムとＣＰＵとの協働によって各種処理を実行する。なお、制御部１０３は、撮像装置１００外の制御部３１０と通信可能に接続されており、制御信号や画像データの授受が可能になっている。
【００７０】
光学系駆動部１０５は、制御部１０３の制御により合焦、露出等を行う際に、撮像レンズ１０の駆動機構５５ａを動作させて撮像レンズ１０の状態を制御する。光学系駆動部１０５は、駆動機構５５ａを動作させて撮像レンズ１０中の特定レンズ又は全レンズを光軸ＡＸに沿って適宜移動させることにより、撮像レンズ１０に合焦動作等を行わせる。
【００７１】
撮像素子駆動部１０７は、制御部１０３の制御により露出等を行う際に、撮像素子５１の動作を制御する。具体的には、撮像素子駆動部１０７は、タイミング信号に基づいて撮像素子５１を走査駆動し、これから画像信号を取り出す。また、撮像素子駆動部１０７は、撮像素子５１によって検出されデジタル化された画像信号に対して、歪み補正、色補正、圧縮等の各種画像処理を施すことができる。
【００７２】
画像メモリー１０８は、デジタル化された画像信号を撮像素子駆動部１０７から受け取って、読み出し及び書き込み可能な画像データとして記憶する。
【００７３】
ここで、上記撮像装置１００を含む携帯端末３００の撮影動作を説明する。携帯端末３００をカメラとして動作させるカメラモードに設定されると、被写体のモニタリング（スルー画像表示）と、画像撮影実行とが行われる。モニタリングにおいては、撮像レンズ１０を介して得られた被写体の像が、撮像素子５１の撮像面Ｉ（図１参照）に結像される。撮像素子５１は、撮像素子駆動部１０７によって走査駆動され、一定周期毎に結像した光像に対応する光電変換出力としてのアナログ信号を１画面分検出する。
【００７４】
このアナログ信号は、撮像素子５１に付属する回路においてＲＧＢの各原色成分毎に適宜ゲイン調整された後に、デジタルデータに変換される。そのデジタルデータに対しては、撮像素子駆動部１０７にて画素補間処理及びＹ補正処理を含むカラープロセス処理が行われて、デジタル値の輝度信号Ｙ及び色差信号Ｃｂ，Ｃｒ（画像データ）が生成されて画像メモリー１０８に格納される。格納されたデジタルデータは、画像メモリー１０８から定期的に読み出されてビデオ信号の生成に利用され、制御部１０３及び制御部３１０を介して、表示操作部３２０に出力される。
【００７５】
この表示操作部３２０は、モニタリングにおいてはファインダーとして機能し、撮像画像をリアルタイムに表示することとなる。この状態で、随時、ユーザーが表示操作部３２０を介して行う操作入力に基づいて、光学系駆動部１０５の駆動により撮像レンズ１０の合焦、露出等が設定される。
【００７６】
このようなモニタリング状態において、ユーザーが表示操作部３２０を適宜操作することにより、静止画像データが撮影される。表示操作部３２０の操作内容に応じて、画像メモリー１０８に格納された１コマの画像データが読み出されて、撮像素子駆動部１０７により圧縮等の処理が施される。その処理された画像データは、制御部１０３及び制御部３１０を介して、例えば一時記憶部３７０等に記録される。
【００７７】
なお、上述の撮像装置１００は、本発明に好適な撮像装置の一例であり、本発明は、これに限定されるものではない。
【００７８】
すなわち、カメラモジュール５０又は撮像レンズ１０を搭載した撮像装置は、スマートフォン型の携帯端末３００に内蔵されるものに限らず、携帯電話、ＰＨＳ（Personal Handyphone System）等に内蔵されるものであってもよく、ＰＤＡ（Personal Digital Assistant）、タブレットパソコン、モバイルパソコン、デジタルスチルカメラ、ビデオカメラ等に内蔵されるであってもよい。
【００７９】
以下、図１等に戻って、本発明の一実施形態である撮像レンズ１０について詳細に説明する。図１に示す撮像レンズ１０は、撮像素子５１の撮像面（被投影面）Ｉに被写体像を結像させるものであって、物体側から順に、正の第１レンズＬ１と、負の第２レンズＬ２と、第３レンズＬ３と、第４レンズＬ４と、第５レンズＬ５と、第６レンズＬ６と、負の第７レンズＬ７と、を備える。上記撮像レンズ１０において、第１レンズＬ１は、光軸ＡＸ近傍で物体側に凸面を向けており、第２レンズＬ２は、光軸ＡＸ近傍で像側に凹面を向けるとともに物体側に凸面を向けたメニスカスレンズである。第５レンズＬ５と第６レンズＬ６との少なくとも一方は、正レンズであり、第６レンズＬ６は、光軸ＡＸ近傍で像側に凸面を向けている。以上の第１〜第６レンズＬ１〜Ｌ６の物体側面及び像側面は、いずれも非球面となっている。最も像側の第７レンズＬ７は、光軸ＡＸ近傍で像側に凹面を向けており、その物体側面Ｓ７１及び像側面Ｓ７２は、非球面形状を有し、特に像側面Ｓ７２は、中心以外の有効径内の位置Ｐに極値を持つ。
撮像レンズ１０において、第３レンズＬ３の像側面Ｓ３２は、有効径の８割以上（外側）の領域が物体側に傾いており、第３レンズＬ３は、有効径の端付近において正のパワーを持つ。第４レンズＬ４の像側面Ｓ４２は、有効径の８割以上（外側）の領域が物体側に傾いており、第４レンズＬ４は、有効径の端付近において正のパワーを持つ。第５レンズＬ５は、有効径の端付近において負のパワーを持っている。
撮像レンズ１０は、第３レンズＬ３より物体側に例えば２つ以上の絞り部材を有する。図示の例では、絞り部材としての開口絞りＡＳが、第１及び第２レンズＬ１，Ｌ２の間に配置され、絞り部材としての遮光絞りＦＳが、第１レンズＬ１の物体側と、第２及び第３レンズＬ２，Ｌ３の間とに配置されている。
【００８０】
上記撮像レンズ１０によれば、最も物体側の第１レンズＬ１を正レンズとすることで、全系の主点位置が物体側に寄るため、光学全長の短縮に有利になる。また、正の第１レンズＬ１の次に負の第２レンズＬ２を配置することで、軸上光束径の広い位置に負レンズを配置できるため、色収差の補正効果を高めることができ、高性能化することができる。また、第７レンズＬ７の像側面Ｓ７２を有効径内の位置Ｐに極値を持った非球面とすることで、周辺像高の光線が撮像面Ｉへ入射する際の入射角を小さく抑えることが可能になるため、撮像素子５１の受光効率を向上させることができる。
【００８１】
上記撮像レンズ１０においては、値ＣＴ２を第２レンズＬ２の中心厚とし、値ＥＴ２を第２レンズＬ２の縁厚として、
１．５＜ＥＴ２/ＣＴ２＜３．０      …      （１）
を満足するものとなっている。ただし、第２レンズＬ２の縁厚とは、第２レンズＬ２の物体側面Ｓ２１の有効径と像側面Ｓ２２の有効径とのうち小さい方の径の位置の光軸方向の厚みとする。
条件式（１）は、第２レンズＬ２の中心厚と縁厚との比を規定している。条件式（１）の値ＥＴ２/ＣＴ２が下限を上回ることで、第２レンズＬ２が中心厚に比べて縁厚の厚いレンズとなるため強い負のパワーを持つことができるようになり、大口径化する場合に劣化しやすいコマ収差の補正を良好にしつつ、第１レンズＬ１で発生した色収差の補正も併せて良好にすることができる。一方、条件式（１）の値ＥＴ２/ＣＴ２が上限を下回ることで、中心厚に比べて縁厚が厚くなり過ぎず、第２レンズＬ２が過剰に負のパワーを持つことが無いため、強い負のパワーによる球面収差及びコマ収差の過剰補正を防ぐことができる。また、中心厚と縁厚の差が大き過ぎることによるレンズ成形の難易度上昇も防ぐことができる。
なお、条件式（１）の値ＥＴ２/ＣＴ２については、下記の条件式（１）'の範囲内とすることがより望ましい。
１．７５＜ＥＴ２/ＣＴ２＜２．５      …      （１）'
【００８２】
本実施形態の撮像レンズ１０は、上記条件式（１）に加えて、既に説明した条件式（２）
０．４＜ｆ３４５６／ｆ＜１．１      …      （２）
を満足する。ただし、値ｆ３４５６は、第３レンズＬ３から第６レンズＬ６までの合成焦点距離であり、値ｆは全系の焦点距離である。
なお、条件式（２）の値ｆ３４５６／ｆについては、下記の条件式（２）'の範囲内とすることがより望ましい。
０．４５＜ｆ３４５６／ｆ＜０．８      …      （２）'
値ｆ３４５６／ｆについては、下記の条件式（２）"の範囲内とすることがさらに望ましい。
０．４５＜ｆ３４５６／ｆ＜０．６      …      （２）"
【００８３】
本実施形態の撮像レンズ１０は、上記条件式（１）等に加えて、既に説明した条件式（３）
０．５＜ｆ１／ｆ＜１．３      …      （３）
を満足する。ただし、値ｆ１は、第１レンズＬ１の焦点距離である。
なお、条件式（３）の値ｆ１／ｆについては、下記の条件式（３）'の範囲内とすることがより望ましい。
０．６５＜ｆ１／ｆ＜１．１      …      （３）'
値ｆ１／ｆについては、下記の条件式（３）"の範囲内とすることがさらに望ましい。
０．８０＜ｆ１／ｆ＜０．９５      …      （３）"
【００８４】
本実施形態の撮像レンズ１０は、上記条件式（１）等に加えて、既に説明した条件式（４）
−２．５＜ｆ２／ｆ＜−０．８      …      （４）
を満足する。ただし、値ｆ２は、第２レンズＬ２の焦点距離である。
なお、条件式（４）の値ｆ２／ｆについては、下記の条件式（４）'の範囲内とすることがより望ましい。
−２．０＜ｆ２／ｆ＜−０．９      …      （４）'
値ｆ２／ｆについては、下記の条件式（４）"の範囲内とすることがさらに望ましい。
−１．５＜ｆ２／ｆ＜−１．０      …      （４）"
【００８５】
本実施形態の撮像レンズ１０は、上記条件式（１）等に加えて、既に説明した条件式（５）
−２．０＜ｆ７／ｆ＜−０．３０      …      （５）
を満足する。ただし、値ｆ７は、第７レンズＬ７の焦点距離である。
なお、条件式（４）の値ｆ７／ｆについては、下記の条件式（５）'の範囲内とすることがより望ましい。
−１．５＜ｆ７／ｆ＜−０．３５      …      （５）'
値ｆ７／ｆについては、下記の条件式（５）"の範囲内とすることがさらに望ましい。
−１．０＜ｆ７／ｆ＜−０．４０      …      （５）"
【００８６】
本実施形態の撮像レンズ１０は、上記条件式（１）等に加えて、既に説明した条件式（６）
１．３＜ＣＴ１/ＥＴ１＜５．０      …      （６）
を満足する。ただし、値ＣＴ１は、第１レンズＬ１の中心厚であり、値ＥＴ１は、第１レンズＬ１の縁厚である。なお、第１レンズＬ１の縁厚とは、第１レンズＬ１の物体側面Ｓ１１の有効径又は光学面径と像側面Ｓ１２の有効径又は光学面径とのうち小さい方の径の位置の光軸方向の厚みとする。
なお、条件式（６）の値ＣＴ１/ＥＴ１については、下記の条件式（６）'の範囲内とすることがより望ましい。
１．５＜ＣＴ１/ＥＴ１＜４．０      …      （６）'
値ＣＴ１/ＥＴ１については、下記の条件式（６）"の範囲内とすることがさらに望ましい。
１．５＜ＣＴ１/ＥＴ１＜３．０      …      （６）"
【００８７】
本実施形態の撮像レンズ１０は、上記条件式（１）等に加えて、既に説明した条件式（７）
１．０５＜Φｍａｘ／Φｍｉｎ＜１．４５      …      （７）
を満足する。ただし、値Φｍａｘは、第３レンズＬ３よりも物体側に配置された絞り部材ＡＳ，ＦＳの開口径のうち最も大きい開口径であり、値Φｍｉｎは、第３レンズＬ３よりも物体側に配置された絞り部材ＡＳ，ＦＳの開口径のうち最も小さい開口径である。
なお、条件式（７）の値Φｍａｘ／Φｍｉｎについては、下記の条件式（７）'の範囲内とすることがより望ましい。
１．１５＜Φｍａｘ／Φｍｉｎ＜１．４０      …      （７）'
値Φｍａｘ／Φｍｉｎについては、下記の条件式（７）"の範囲内とすることがさらに望ましい。
１．２５＜Φｍａｘ／Φｍｉｎ＜１．３５      …      （７）"
【００８８】
本実施形態の撮像レンズ１０は、上記条件式（１）等に加えて、既に説明した条件式（８）
１．０＜ΦＬ１/ΦＬ２＜１．２      …      （８）
を満足する。ただし、値ΦＬ１は、第１レンズＬ１の最大有効径であり、値ΦＬ２は、第２レンズＬ２の最大有効径である。
なお、条件式（８）の値ΦＬ１/ΦＬ２については、下記の条件式（８）'の範囲内とすることがより望ましい。
１．０５＜ΦＬ１／ΦＬ２＜１．２０      …      （８）'
値ΦＬ１/ΦＬ２については、下記の条件式（８）"の範囲内とすることがさらに望ましい。
１．１０＜ΦＬ１／ΦＬ２＜１．２０      …      （８）"
【００８９】
本実施形態の撮像レンズ１０は、上記条件式（１）等に加えて、既に説明した条件式（９）
０．５１＜ΦＬ１／ｆ＜０．７５      …      （９）
を満足する。ただし、値ΦＬ１は、第１レンズＬ１の最大有効径である。
なお、条件式（９）の値ΦＬ１／ｆについては、下記の条件式（９）'の範囲内とすることがより望ましい。
０．６０＜ΦＬ１／ｆ＜０．７２      …      （９）'
【００９０】
本実施形態の撮像レンズ１０は、上記条件式（１）等に加えて、既に説明した条件式（１０）
０．０５＜Ｌ５Ｔ／ＴＴＬ＜０．１５      …      （１０）
を満足する。ただし、値Ｌ５Ｔは、第５レンズＬ５の物体側面Ｓ５１における物体側への最凸部から、像側面Ｓ５２における像側への最凸部までの光軸方向の距離であり、値ＴＴＬは、光学全長である。
【００９１】
本実施形態の撮像レンズ１０は、上記条件式（１）等に加えて、既に説明した条件式（１１）及び（１２）
１０°＜θＳ８＜６０°      …      （１１）
−２５°＜θＳ１０＜１０°      …      （１２）
を満足する。ただし、値θＳ８は第４レンズＬ４の像側面Ｓ４２の有効径内の最大面角度であり、値θＳ１０は、第５レンズＬ５の像側面Ｓ５２の有効径の８割〜１０割における最小面角度である。なお、面角度とは、光軸垂線と平行を０°とし、物体側に傾いている場合に正の値、像側に傾いている場合に負の値とする。
なお、条件式（１１）の値θＳ８については、下記の条件式（１１）'の範囲内とすることがより望ましい。
２５°＜θＳ８＜５０°      …      （１１）'
条件式（１２）の値θＳ１０については、下記の条件式（１２）'の範囲内とすることがより望ましい。
−１０°＜θＳ１０＜５°      …      （１２）'
【００９２】
本実施形態の撮像レンズ１０では、特に図示していないが、実質的にパワーを持たないレンズその他の光学素子をさらに備えるものとできる。
【００９３】
以下、本発明に係る撮像レンズの具体的な実施例について説明する。各実施例において、ｒは曲率半径を意味し、ｄは軸上面間隔を意味し、ｎｄはレンズ材料のｄ線に対する屈折率を意味し、ｖｄはレンズ材料のアッベ数を意味し、「ｅｆｆ．ｄｉａ．」は有効径を意味する。また、各面番号の後に「＊」が記載されている面が非球面形状を有する面であり、非球面の形状は、面の頂点を原点とし、光軸ＡＸ方向にＸ軸をとり、光軸ＡＸと垂直方向の高さをｈとして以下の「数１」で表す。
【数１】
2015072403.tif 000003
ただし、
Ａｉ：ｉ次の非球面係数
Ｒ：曲率半径
Ｋ：円錐定数
さらに、各実施例において、「ＳＴＯ」は開口絞りＡＳを意味し、「ＦＳ」は遮光絞りＦＳを意味する。
なお、各実施例の撮像レンズが前提とする使用基本波長は５８７．５６ｎｍであり、曲率半径等の面形状の単位はｍｍである。
【００９４】
〔実施例１〕
実施例１のレンズ面のデータを以下の表１に示す。
〔表１〕
面番号    r           d        nd       vd     eff. dia.
1 FS  INFINITY     -0.1000                     2.700
2*      1.9667      0.7120   1.54470   56      2.625
3*     -9.5028      0.0663                     2.494
STO    INFINITY      0.0000                     2.443
5*      2.1268      0.1504   1.63469   23.9    2.282
6*      1.1775      0.3670                     2.056
7 FS  INFINITY      0.1800                     2.050
8*     22.5212      0.3660   1.54470   56      2.182
9*      8.2854      0.1000                     2.451
10*      2.6266      0.3717   1.54470   56      2.778
11*      4.7470      0.1535                     3.036
12*      8.6726      0.2000   1.63469   23.9    3.277
13*      5.3552      0.2870                     3.431
14*      8.4713      0.6176   1.54470   56      3.820
15*     -1.2722      0.2844                     4.092
16*     45.1563      0.3151   1.54470   56      4.908
17*      1.0531      0.4000                     5.309
18     INFINITY      0.1100   1.51633   64.1    5.602
19     INFINITY      0.3790
【００９５】
実施例１のレンズ面の非球面係数を以下の表２に示す。
〔表２〕
第2面
K=-8.22802e-001, A4=1.91375e-002, A6=5.43170e-003, 
A8=-5.90436e-003, A10=8.76981e-003, A12=-4.67995e-003, 
A14=1.07996e-003
第3面
K=-7.98909e+001, A4=9.81762e-002, A6=-1.18737e-001, 
A8=1.18025e-001, A10=-7.92024e-002, A12=3.03109e-002, 
A14=-4.86274e-003
第5面
K=-2.24162e+001, A4=1.80214e-002, A6=-4.06404e-002, 
A8=5.39192e-002, A10=-5.00906e-002, A12=2.27445e-002, 
A14=-3.54001e-003
第6面
K=-6.33786e+000, A3=1.03847e-002, A4=1.36593e-002, 
A5=1.94056e-002, A6=4.64130e-002, A8=-1.32939e-001, 
A10=1.71554e-001, A12=-1.14880e-001, A14=3.23310e-002
第8面
K=-2.79837e+001, A3=-1.02503e-002, A4=1.95438e-002, 
A5=-1.94346e-001, A6=2.30842e-001, A8=-2.05062e-001, 
A10=1.34975e-001, A12=-5.11263e-002, A14=-3.10333e-004
第9面
K=4.97825e+000, A3=-4.48486e-002, A4=-1.72924e-001, 
A5=4.01329e-003, A6=6.30455e-002, A8=-4.19386e-002, 
A10=6.44463e-003, A12=6.17139e-003, A14=-4.50847e-003
第10面
K=4.89398e-001, A3=-7.49603e-002, A4=-1.53262e-001, 
A5=9.45476e-003, A6=-1.14499e-002, A8=5.41254e-003, 
A10=7.60970e-003, A12=1.34869e-003, A14=-1.55023e-003
第11面
K=6.32329e+000, A3=-8.08059e-002, A4=-5.21718e-002, 
A5=5.05387e-002, A6=-1.28865e-001, A8=5.81021e-002, 
A10=-1.28264e-002, A12=1.49895e-003
第12面
K=1.86989e+001, A3=-4.91918e-002, A4=-3.35069e-001, 
A5=3.65152e-001, A6=-2.67571e-001, A8=1.01794e-001, 
A10=-1.92471e-002, A12=8.87502e-004
第13面
K=-3.08174e+000, A3=-3.23757e-002, A4=-2.63810e-001, 
A5=1.59983e-001, A6=-4.87836e-002, A8=6.04489e-003, 
A10=6.42809e-003, A12=-2.20734e-003, A14=1.58325e-004
第14面
K=-3.38748e+001, A3=-3.88196e-003, A4=1.24503e-002, 
A5=-1.20172e-001, A6=1.17358e-001, A8=-4.78783e-002, 
A10=1.49422e-002, A12=-2.67805e-003, A14=2.20101e-004
第15面
K=-9.07157e+000, A3=-9.46510e-002, A4=-5.97512e-002, 
A5=1.02415e-001, A6=-6.69828e-003, A8=-1.78173e-002, 
A10=6.50738e-003, A12=-1.12326e-003, A14=7.68896e-005
第16面
K=7.99641e+001, A3=-1.20236e-001, A4=-9.23792e-002, 
A5=3.91343e-002, A6=2.25840e-002, A8=-2.96911e-003, 
A10=-3.44293e-004, A12=8.49048e-005, A14=-4.43939e-006
第17面
K=-6.37169e+000, A3=-1.87779e-003, A4=-1.49423e-001, 
A5=1.11589e-001, A6=-2.92809e-002, A8=1.35999e-003, 
A10=-2.30915e-004, A12=2.63067e-005, A14=-8.30657e-007
なお、これ以降（表のレンズデータを含む）において、１０のべき乗数（たとえば２．５×１０−００２）を、ｅ（たとえば２．５ｅ−００２）を用いて表すものとする。
【００９６】
実施例１の撮像レンズの特性を以下に列挙する。
FL        3.778
Fno       1.44
w        75.33
Ymax      2.916
BF        0.889
TL        5.060
BFa       0.852
TLa       5.023
ここで、ＦＬは撮像レンズ全系の焦点距離を意味し、ＦｎｏはＦナンバーを意味し、ｗは対角線画角を意味し、Ｙｍａｘは最大像高、すなわち撮像素子の撮像面対角線長の半値を意味し、ＢＦはバックフォーカス（最終レンズ〜像面）を意味し、ＴＬは光学全長を意味する。また、ＢＦａは、バックフォーカス（最終レンズ〜像面  ※平行平板は空気換算長としたとき）、ＴＬａは、光学全長（最終レンズ〜像面  ※平行平板は空気換算長としたとき）を意味する。なお、以上の符号は、これ以降の実施例でも同様の意味を有するものとする。
【００９７】
実施例１の単レンズデータを以下の表３に示す。
〔表３〕
レンズ番号  面番号  焦点距離       有効径
Elem   Surfs   Focal Length    Diameter
1     2- 3      3.0584        2.625
2     5- 6     -4.4284        2.282
3     8- 9    -24.2842        2.451
4    10-11     10.1673        3.036
5    12-13    -22.5866        3.431
6    14-15      2.0771        4.092
7    16-17     -1.9845        5.309
【００９８】
図５は、実施例１の撮像レンズ１１等の断面図である。撮像レンズ１１は、物体側より順に、光軸ＡＸ周辺で正の屈折力を有する両凸の第１レンズＬ１と、光軸ＡＸ周辺で負の屈折力を有し物体側に凸面を向けたメニスカスの第２レンズＬ２と、光軸ＡＸ周辺で弱い負の屈折力を有し像側に凹面を向けた略平凹の第３レンズＬ３と、光軸ＡＸ周辺で正の屈折力を有し物体側に凸面を向けたメニスカスの第４レンズＬ４と、光軸ＡＸ周辺で弱い負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有し像側に凹面を向けた略平凹の第７レンズＬ７とを備える。全てのレンズＬ１〜Ｌ７は、プラスチック材料から形成されている。第１及び第２レンズＬ１，Ｌ２の間には、開口絞り（ＳＴＯ）ＡＳが配置され、第１レンズＬ１の外縁の物体側と、第２及び第３レンズＬ２，Ｌ３の間とには、遮光絞りＦＳがそれぞれ配置されている。なお、例えば第１レンズＬ１の光入射面と物体との間には、適当な厚さの平行平板（不図示）を配置することができ、この点は、以下の実施例でも同様である。
【００９９】
図６（Ａ）〜６（Ｃ）は、実施例１の撮像レンズ１１の諸収差図（球面収差、非点収差、歪曲収差）を示し、図６（Ｄ）及び６（Ｅ）は、実施例１の撮像レンズ１１の横収差を示している。
【０１００】
〔実施例２〕
実施例２のレンズ面のデータを以下の表４に示す。
〔表４〕
面番号    r           d        nd       vd     eff. dia.
1 FS  INFINITY      0.0000                     2.700
2*      1.8839      0.7264   1.54470   56      2.625
3*    -50.1886      0.0500                     2.480
4*      2.0288      0.1500   1.64250   22.5    2.292
5*      1.2415      0.3882                     2.063
STO    INFINITY      0.0000                     2.036
7*      5.2021      0.2043   1.54470   56      2.090
8*      4.9298      0.2511                     2.223
9*      9.5253      0.7848   1.54470   56      2.414
10*    118.9988      0.1205                     3.008
11*     15.2856      0.2000   1.63469   23.9    3.333
12*      8.0836      0.2599                     3.455
13*      4.3795      0.6318   1.54470   56      3.791
14*     -1.6267      0.2553                     4.159
15*    -27.2355      0.3177   1.54470   56      4.665
16*      1.1327      0.4000                     5.218
17     INFINITY      0.1100   1.51633   64.1    5.493
18     INFINITY      0.4020
【０１０１】
実施例２のレンズ面の非球面係数を以下の表５に示す。
〔表５〕
第2面
K=-7.59338e-001, A4=2.08234e-002, A6=4.99774e-003, 
A8=-4.58076e-003, A10=8.27955e-003, A12=-5.18691e-003, 
A14=1.47072e-003
第3面
K=6.74025e+001, A4=6.81816e-002, A6=-9.93315e-002, 
A8=1.10203e-001, A10=-7.93473e-002, A12=3.36551e-002, 
A14=-6.08751e-003
第4面
K=-1.37510e+001, A4=2.50648e-003, A6=-7.11750e-002, 
A8=7.47801e-002, A10=-3.60636e-002, A12=1.28884e-002, 
A14=-3.54001e-003
第5面
K=-4.71840e+000, A3=-9.34023e-004, A4=2.93742e-004, 
A5=9.55939e-003, A6=4.66981e-002, A8=-1.27457e-001, 
A10=1.76734e-001, A12=-1.11648e-001, A14=3.01378e-002
第7面
K=-4.10655e+001, A3=-1.75932e-002, A4=2.72400e-002, 
A5=-1.77478e-001, A6=2.32086e-001, A8=-1.98290e-001, 
A10=1.31866e-001, A12=-6.29209e-002, A14=2.34896e-002
第8面
K=9.48496e+000, A3=-1.05131e-002, A4=-1.33268e-001, 
A5=1.49346e-003, A6=5.48097e-002, A8=-4.55476e-002, 
A10=-1.29692e-003, A12=9.80091e-003, A14=4.66380e-003
第9面
K=3.35953e+001, A3=-1.50895e-003, A4=-9.85876e-002, 
A5=4.13232e-003, A6=2.17094e-003, A8=-9.42207e-003, 
A10=-1.29077e-002, A12=1.15085e-002, A14=-1.31384e-003
第10面
K=6.67705e+001, A3=-3.41426e-002, A4=-9.74188e-002, 
A5=8.68459e-002, A6=-1.06440e-001, A8=5.09913e-002, 
A10=-1.63563e-002, A12=2.46831e-003
第11面
K=1.54918e+001, A3=-1.03893e-002, A4=-3.30208e-001, 
A5=3.74362e-001, A6=-2.61389e-001, A8=9.74168e-002, 
A10=-2.12897e-002, A12=1.57674e-003
第12面
K=1.53465e+001, A3=-1.03295e-002, A4=-2.51132e-001, 
A5=1.56216e-001, A6=-5.36108e-002, A8=7.24980e-003, 
A10=6.53728e-003, A12=-2.37960e-003, A14=1.86723e-004
第13面
K=3.09148e+000, A3=-2.68358e-002, A4=3.47136e-002, 
A5=-1.33828e-001, A6=1.09991e-001, A8=-4.95611e-002, 
A10=1.55961e-002, A12=-2.39632e-003, A14=1.49314e-004
第14面
K=-1.03524e+001, A3=-4.58449e-002, A4=-9.47123e-003, 
A5=6.80135e-002, A6=-1.72306e-002, A8=-1.65561e-002, 
A10=6.92533e-003, A12=-1.07198e-003, A14=5.43027e-005
第15面
K=-1.24093e+001, A3=-1.25279e-001, A4=-7.71861e-002, 
A5=3.85764e-002, A6=2.27966e-002, A8=-3.26167e-003, 
A10=-3.58406e-004, A12=9.11620e-005, A14=-4.77516e-006
第16面
K=-5.59367e+000, A3=-7.74392e-002, A4=-7.58586e-002, 
A5=1.00112e-001, A6=-3.51443e-002, A8=1.99857e-003, 
A10=-1.78001e-004, A12=1.49978e-005, A14=-4.04444e-007
【０１０２】
実施例２の撮像レンズの特性を以下に列挙する。
FL        4.035
Fno       1.54
w        71.98
Ymax      2.921
BF        0.912
TL        5.252
BFa       0.875
TLa       5.215
【０１０３】
実施例２の単レンズデータを以下の表６に示す。
〔表６〕
Elem   Surfs   Focal Length    Diameter
1     2- 3      3.3500        2.625
2     4- 5     -5.3798        2.292
3     7- 8   -235.1066        2.223
4     9-10     18.9610        3.008
5    11-12    -27.3265        3.455
6    13-14      2.2615        4.159
7    15-16     -1.9887        5.218
【０１０４】
図７は、実施例２の撮像レンズ１２等の断面図である。撮像レンズ１２は、物体側より順に、光軸ＡＸ周辺で正の屈折力を有し物体側に凸面を向けた略凸平の第１レンズＬ１と、光軸ＡＸ周辺で負の屈折力を有し物体側に凸面を向けたメニスカスの第２レンズＬ２と、光軸ＡＸ周辺で弱い負の屈折力を有し物体側に凸面を向けたメニスカスの第３レンズＬ３と、光軸ＡＸ周辺で正の屈折力を有し物体側に凸面を向けた略凸平の第４レンズＬ４と、光軸ＡＸ周辺で弱い負の屈折力を有し物体側に凸面を向けたメニスカスの第５レンズＬ５と、光軸ＡＸ周辺で正の屈折力を有し両凸の第６レンズＬ６と、光軸ＡＸ周辺で負の屈折力を有し略平凹の第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置され、第１レンズＬ１の外縁の物体側には、遮光絞りＦＳが配置されている。
【０１０５】
図８（Ａ）〜８（Ｃ）は、実施例２の撮像レンズ１２の諸収差図（球面収差、非点収差、歪曲収差）を示し、図８（Ｄ）及び８（Ｅ）は、実施例２の撮像レンズ１２の横収差を示している。
【０１０６】
〔実施例３〕
実施例３のレンズ面のデータを以下の表７に示す。
〔表７〕
面番号    r           d        nd       vd     eff. dia.
1 FS  INFINITY     -0.2500                     2.700
2*      1.8265      0.7706   1.54470   56      2.633
3*     -9.8075      0.0500                     2.483
4*      2.2119      0.1796   1.63469   23.9    2.261
5*      1.1650      0.3677                     1.978
STO    INFINITY      0.1500                     1.963
7*    -15.7609      0.1900   1.54470   56      2.113
8*     12.4701      0.1015                     2.279
9*      3.4709      0.6368   1.54470   56      2.595
10*     13.7284      0.1000                     2.996
11*      6.9010      0.2000   1.63469   23.9    3.132
12*      6.4920      0.5187                     3.256
13*     44.5000      0.4973   1.54470   56      3.591
14*     -1.1492      0.1749                     3.914
15*     -5.2967      0.3007   1.54470   56      4.536
16*      1.1765      0.7000                     5.011
17     INFINITY      0.1100   1.51633   64.1    5.680
18     INFINITY      0.2024
【０１０７】
実施例３のレンズ面の非球面係数を以下の表８に示す。
〔表８〕
第2面
K=-7.62402e-001, A4=2.04751e-002, A6=6.15415e-003, 
A8=-6.48276e-003, A10=8.84911e-003, A12=-4.48738e-003, 
A14=1.01834e-003
第3面
K=9.83262e+000, A4=9.78535e-002, A6=-1.16417e-001, 
A8=1.18654e-001, A10=-7.95199e-002, A12=3.02924e-002, 
A14=-4.86274e-003
第4面
K=-1.88230e+001, A4=-8.39250e-004, A6=-3.81024e-002, 
A8=6.15429e-002, A10=-4.95206e-002, A12=2.10021e-002, 
A14=-3.54000e-003
第5面
K=-5.13366e+000, A3=9.20875e-003, A4=1.19772e-002, 
A5=1.92273e-002, A6=5.03902e-002, A8=-1.21332e-001, 
A10=1.72304e-001, A12=-1.22781e-001, A14=3.79822e-002
第7面
K=-8.00000e+001, A3=-1.31138e-002, A4=4.62154e-002, 
A5=-1.85231e-001, A6=2.34638e-001, A8=-1.98611e-001, 
A10=1.35696e-001, A12=-5.04387e-002, A14=7.62898e-003
第8面
K=4.88218e+001, A3=-1.80239e-002, A4=-1.52562e-001, 
A5=1.13531e-002, A6=6.54020e-002, A8=-3.87499e-002, 
A10=1.08407e-002, A12=9.52540e-003, A14=-3.15667e-003
第9面
K=2.06211e+000, A3=-1.95698e-002, A4=-1.42525e-001, 
A5=1.93943e-002, A6=-8.24714e-003, A8=3.05060e-003, 
A10=7.47791e-003, A12=1.72573e-003, A14=-1.21519e-003
第10面
K=-8.00000e+001, A3=-2.74626e-002, A4=-2.19898e-002, 
A5=6.27652e-002, A6=-1.24758e-001, A8=5.60335e-002, 
A10=-1.42980e-002, A12=2.03003e-003
第11面
K=1.39238e+001, A3=-8.44025e-003, A4=-3.28119e-001, 
A5=3.72168e-001, A6=-2.65022e-001, A8=9.88716e-002, 
A10=-2.05718e-002, A12=1.06740e-003
第12面
K=1.34574e+001, A3=-1.32284e-002, A4=-2.56059e-001, 
A5=1.57577e-001, A6=-5.11886e-002, A8=7.16231e-003, 
A10=6.80037e-003, A12=-2.26892e-003, A14=4.15564e-005
第13面
K=8.00000e+001, A3=-9.74745e-003, A4=1.71772e-002, 
A5=-1.27294e-001, A6=1.14521e-001, A8=-4.81556e-002, 
A10=1.49933e-002, A12=-2.62088e-003, A14=2.30959e-004
第14面
K=-7.64107e+000, A3=-4.42792e-002, A4=-7.79999e-002, 
A5=9.16848e-002, A6=-8.06985e-003, A8=-1.69608e-002, 
A10=6.70296e-003, A12=-1.10843e-003, A14=6.64654e-005
第15面
K=-6.14130e+001, A3=-6.87097e-002, A4=-9.91812e-002, 
A5=3.63023e-002, A6=2.20450e-002, A8=-2.94886e-003, 
A10=-3.32315e-004, A12=8.65810e-005, A14=-4.83883e-006
第16面
K=-9.29155e+000, A3=-1.25830e-002, A4=-1.28523e-001, 
A5=1.02833e-001, A6=-3.15161e-002, A8=1.69075e-003, 
A10=-1.99522e-004, A12=2.45502e-005, A14=-1.11388e-006
【０１０８】
実施例３の撮像レンズの特性を以下に列挙する。
FL        4.313
Fno       1.64
w        67.60
Ymax      2.921
BF        1.012
TL        5.250
BFa       0.975
TLa       5.213
【０１０９】
実施例３の単レンズデータを以下の表９に示す。
〔表９〕
Elem   Surfs   Focal Length    Diameter
1     2- 3      2.8944        2.633
2     4- 5     -4.1550        2.261
3     7- 8    -12.7508        2.279
4     9-10      8.3456        2.996
5    11-12   -213.0273        3.256
6    13-14      2.0645        3.914
7    15-16     -1.7389        5.011
【０１１０】
図９は、実施例３の撮像レンズ１３等の断面図である。撮像レンズ１３は、物体側より順に、光軸ＡＸ周辺で正の屈折力を有する両凸の第１レンズＬ１と、光軸ＡＸ周辺で負の屈折力を有し物体側に凸面を向けたメニスカスの第２レンズＬ２と、光軸ＡＸ周辺で負の屈折力を有する両凹の第３レンズＬ３と、光軸ＡＸ周辺で正の屈折力を有し物体側に凸面を向けたメニスカスの第４レンズＬ４と、光軸ＡＸ周辺で弱い負の屈折力を有し物体側に凸面を向けたメニスカスの第５レンズＬ５と、光軸ＡＸ周辺で正の屈折力を有し像側に凸面を向けた略平凸の第６レンズＬ６と、光軸ＡＸ周辺で負の屈折力を有する両凹の第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置され、第１レンズＬ１の外縁の物体側には、遮光絞りＦＳが配置されている。
【０１１１】
図１０（Ａ）〜１０（Ｃ）は、実施例３の撮像レンズ１３の諸収差図（球面収差、非点収差、歪曲収差）を示し、図１０（Ｄ）及び１０（Ｅ）は、実施例３の撮像レンズ１３の横収差を示している。
【０１１２】
〔実施例４〕
実施例４のレンズ面のデータを以下の表１０に示す。
〔表１０〕
面番号    r           d        nd       vd     eff. dia.
1 FS  INFINITY      0.0000                     2.700
2*      2.5918      0.6009   1.54470   56.2    2.613
3*     -7.2600      0.1267                     2.504
STO    INFINITY      0.0000                     2.411
5*      1.8163      0.1817   1.63469   23.9    2.273
6*      1.1097      0.4600                     2.104
7 FS  INFINITY      0.0770                     2.070
8*     28.1195      0.3514   1.54470   56.2    2.107
9*     27.7224      0.1000                     2.366
10*      5.5517      0.8520   1.54470   56      2.664
11*      8.3094      0.1003                     3.203
12*      2.8251      0.2013   1.63469   23.9    3.464
13*      2.7800      0.2356                     3.560
14*      6.3078      0.7518   1.54470   56.2    3.749
15*     -1.1548      0.2235                     4.050
16*     18.6734      0.3219   1.54470   56.2    4.932
17*      0.9243      0.4000                     5.406
18     INFINITY      0.1100   1.51633   64.1    6.000
19     INFINITY      0.4550
【０１１３】
実施例４のレンズ面の非球面係数を以下の表１１に示す。
〔表１１〕
第2面
K=-4.76583e+000, A4=4.42855e-002, A6=-6.58009e-003, 
A8=-6.19443e-005, A10=5.47277e-003, A12=-3.60429e-003, 
A14=1.00936e-003
第3面
K=5.49560e+000, A4=1.01021e-001, A6=-1.10909e-001, 
A8=1.15203e-001, A10=-7.86404e-002, A12=3.05405e-002, 
A14=-4.86004e-003
第5面
K=-9.85561e+000, A4=1.06447e-002, A6=-6.19262e-002, 
A8=7.15486e-002, A10=-5.64109e-002, A12=2.22086e-002, 
A14=-3.54001e-003
第6面
K=-3.75385e+000, A3=1.14349e-003, A4=-2.94492e-002, 
A5=-9.02417e-004, A6=8.64016e-002, A8=-1.52161e-001, 
A10=1.60552e-001, A12=-9.67363e-002, A14=2.41152e-002
第8面
K=-8.00000e+001, A3=-1.64115e-002, A4=4.27003e-002, 
A5=-2.02100e-001, A6=2.18962e-001, A8=-1.85348e-001, 
A10=1.48282e-001, A12=-7.99091e-002, A14=1.53464e-002
第9面
K=0.00000e+000, A4=-1.55458e-001, A6=3.37252e-002, 
A8=-9.80294e-003, A10=-1.20848e-003, A12=-1.96857e-003
第10面
K=0.00000e+000, A4=-1.25988e-001, A6=1.82637e-002, 
A8=7.06854e-003, A10=-5.43146e-003, A12=9.13575e-004
第11面
K=2.43441e+001, A3=-9.29865e-002, A4=-6.67967e-002, 
A5=1.03039e-001, A6=-1.23220e-001, A8=4.45057e-002, 
A10=-1.08582e-002, A12=1.02689e-003
第12面
K=-5.86781e-001, A3=-6.83121e-002, A4=-3.40600e-001, 
A5=3.62293e-001, A6=-2.72627e-001, A8=9.88045e-002, 
A10=-1.98267e-002, A12=1.44581e-003
第13面
K=-6.43385e-001, A3=5.17390e-003, A4=-2.77638e-001, 
A5=1.40444e-001, A6=-4.99045e-002, A8=5.67616e-003, 
A10=6.07764e-003, A12=-2.00730e-003, A14=1.75629e-004
第14面
K=-8.00000e+001, A3=2.16910e-002, A4=4.18564e-002, 
A5=-1.23338e-001, A6=8.87382e-002, A8=-4.21216e-002, 
A10=1.65373e-002, A12=-3.63450e-003, A14=3.51079e-004
第15面
K=-7.50573e+000, A3=-5.32180e-002, A4=-8.29700e-002, 
A5=1.03856e-001, A6=-9.67792e-003, A8=-1.77803e-002, 
A10=6.65870e-003, A12=-1.10205e-003, A14=7.11453e-005
第16面
K=-8.00000e+001, A3=-1.07678e-001, A4=-9.02414e-002, 
A5=3.30882e-002, A6=2.23725e-002, A8=-2.55974e-003, 
A10=-3.39237e-004, A12=7.64085e-005, A14=-3.88590e-006
第17面
K=-5.88595e+000, A3=9.46200e-003, A4=-1.50249e-001, 
A5=1.12943e-001, A6=-2.98435e-002, A8=1.31582e-003, 
A10=-2.21592e-004, A12=3.04412e-005, A14=-1.38605e-006
【０１１４】
実施例４の撮像レンズの特性を以下に列挙する。
FL        3.787
Fno       1.44
w        75.44
Ymax      2.921
BF        0.965
TL        5.549
BFa       0.928
TLa       5.512
【０１１５】
実施例４の単レンズデータを以下の表１２に示す。
〔表１２〕
Elem   Surfs   Focal Length    Diameter
1     2- 3      3.5835        2.613
2     5- 6     -4.9929        2.273
3     8- 9     -5e+003        2.366
4    10-11     27.6940        3.203
5    12-13    374.4482        3.560
6    14-15      1.8580        4.050
7    16-17     -1.7967        5.406
【０１１６】
図１１は、実施例４の撮像レンズ１４等の断面図である。撮像レンズ１４は、物体側より順に、光軸ＡＸ周辺で正の屈折力を有する両凸の第１レンズＬ１と、光軸ＡＸ周辺で負の屈折力を有し物体側に凸面を向けたメニスカスの第２レンズＬ２と、光軸ＡＸ周辺で弱い負の屈折力を有する略平板状の第３レンズＬ３と、光軸ＡＸ周辺で弱い正の屈折力を有し物体側に凸面を向けたメニスカスの第４レンズＬ４と、光軸ＡＸ周辺で弱い正の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第１及び第２レンズＬ１，Ｌ２の間には、開口絞り（ＳＴＯ）ＡＳが配置され、第１レンズＬ１の外縁の物体側と、第２及び第３レンズＬ２，Ｌ３の間とには、遮光絞りＦＳが配置されている。
【０１１７】
図１２（Ａ）〜１２（Ｃ）は、実施例４の撮像レンズ１４の諸収差図（球面収差、非点収差、歪曲収差）を示し、図１２（Ｄ）及び１２（Ｅ）は、実施例４の撮像レンズ１４の横収差を示している。
【０１１８】
〔実施例５〕
実施例５のレンズ面のデータを以下の表１３に示す。
〔表１３〕
面番号    r           d        nd       vd     eff. dia.
STO    INFINITY     -0.2500                     2.625
2*      2.0635      0.7031   1.54470   56      2.625
3*     -8.2734      0.0500                     2.493
4*      2.2022      0.1957   1.63469   23.9    2.290
5*      1.1925      0.4520                     2.045
6 FS  INFINITY      0.1000                     2.040
7*     47.5805      0.3000   1.54470   56      2.074
8*     25.0398      0.0884                     2.326
9*      4.6503      0.9065   1.54470   56      2.828
10*     52.3411      0.1642                     3.208
11*     -1.7499      0.2004   1.63469   23.9    3.326
12*     -1.4313      0.0500                     3.557
13*     13.9998      0.4818   1.54470   56      3.698
14*    -20.0000      0.3261                     4.129
15*      1.2751      0.3604   1.54470   56      4.867
16*      0.7678      0.6000                     5.318
17     INFINITY      0.1100   1.51633   64.1    5.700
18     INFINITY      0.1419
【０１１９】
実施例５のレンズ面の非球面係数を以下の表１４に示す。
〔表１４〕
第2面
K=-1.42862e+000, A4=2.77675e-002, A6=5.43424e-003, 
A8=-6.07353e-003, A10=8.35891e-003, A12=-4.15242e-003, 
A14=9.53612e-004
第3面
K=-8.00000e+001, A4=9.76993e-002, A6=-1.24374e-001, 
A8=1.24899e-001, A10=-8.16539e-002, A12=3.04828e-002, 
A14=-4.86208e-003
第4面
K=-1.93605e+001, A4=4.29146e-002, A6=-9.25227e-002, 
A8=9.66026e-002, A10=-6.67212e-002, A12=2.46267e-002, 
A14=-3.54009e-003
第5面
K=-3.93582e+000, A3=-1.12833e-002, A4=-3.64851e-002, 
A5=3.27652e-002, A6=9.76461e-002, A8=-1.58322e-001, 
A10=1.37490e-001, A12=-6.70341e-002, A14=1.50187e-002
第7面
K=8.00000e+001, A3=-5.10427e-002, A4=1.39741e-001, 
A5=-3.81210e-001, A6=3.26202e-001, A8=-1.70718e-001, 
A10=7.85483e-002, A12=-2.37923e-002, A14=1.81202e-003
第8面
K=0.00000e+000, A4=-2.73521e-001, A6=1.78928e-001, 
A8=-8.65778e-002, A10=2.22277e-002, A12=-1.85128e-003
第9面
K=0.00000e+000, A4=-2.58118e-001, A6=1.43757e-001, 
A8=-2.48977e-002, A10=-9.02995e-004, A12=6.19376e-004
第10面
K=8.00000e+001, A3=-1.62229e-002, A4=-1.27850e-001, 
A5=6.36093e-002, A6=-8.40529e-002, A8=6.12670e-002, 
A10=-2.25320e-002, A12=3.51866e-003
第11面
K=-2.65028e-001, A3=1.68317e-001, A4=-2.36497e-001, 
A5=3.68567e-001, A6=-2.97211e-001, A8=9.30939e-002, 
A10=-1.81863e-002, A12=1.36314e-003
第12面
K=-5.58624e-001, A3=5.09014e-001, A4=-4.45879e-001, 
A5=1.53316e-001, A6=-2.61242e-002, A8=5.47005e-003, 
A10=4.88155e-003, A12=-1.93135e-003, A14=1.64661e-004
第13面
K=5.39428e+001, A3=3.27596e-001, A4=-2.71244e-001, 
A5=-2.35007e-002, A6=1.23190e-001, A8=-5.87165e-002, 
A10=1.46150e-002, A12=-1.99635e-003, A14=9.95736e-005
第14面
K=-8.00000e+001, A3=-4.14744e-001, A4=5.25797e-001, 
A5=-1.30899e-001, A6=-1.89797e-002, A8=-1.34729e-002, 
A10=5.95330e-003, A12=-8.74575e-004, A14=5.16865e-005
第15面
K=-1.43986e+001, A3=-3.35318e-001, A4=9.71430e-003, 
A5=4.59226e-002, A6=1.67337e-002, A8=-3.65987e-003, 
A10=-2.80541e-004, A12=9.56718e-005, A14=-5.70973e-006
第16面
K=-6.17418e+000, A3=-1.20474e-002, A4=-1.86539e-001, 
A5=1.61058e-001, A6=-4.60649e-002, A8=1.54960e-003, 
A10=-1.18236e-004, A12=2.46917e-005, A14=-1.62982e-006
【０１２０】
実施例５の撮像レンズの特性を以下に列挙する。
FL        3.791
Fno       1.44
w        75.43
Ymax      2.921
BF        0.852
TL        5.231
BFa       0.814
TLa       5.193
【０１２１】
実施例５の単レンズデータを以下の表１５に示す。
〔表１５〕
レンズ番号  面番号  焦点距離       有効径
Elem   Surfs   Focal Length    Diameter
1     2- 3      3.1066        2.625
2     4- 5     -4.4312        2.290
3     7- 8    -97.4945        2.326
4     9-10      9.3074        3.208
5    11-12      9.9549        3.557
6    13-14     15.1947        4.129
7    15-16     -4.7278        5.318
【０１２２】
図１３は、実施例５の撮像レンズ１５等の断面図である。撮像レンズ１５は、物体側より順に、光軸ＡＸ周辺で正の屈折力を有する両凸の第１レンズＬ１と、光軸ＡＸ周辺で負の屈折力を有し物体側に凸面を向けたメニスカスの第２レンズＬ２と、光軸ＡＸ周辺で弱い負の屈折力を有する略平板状の第３レンズＬ３と、光軸ＡＸ周辺で正の屈折力を有し物体側に凸面を向けた略凸平の第４レンズＬ４と、光軸ＡＸ周辺で正の屈折力を有し像側に凸面を向けたメニスカスの第５レンズＬ５と、光軸ＡＸ周辺で正の屈折力を有し物体側に凸面を向けた略凸平の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第１レンズＬ１の外縁の物体側には、開口絞り（ＳＴＯ）ＡＳが配置され、第２及び第３レンズＬ２，Ｌ３の間には、遮光絞りＦＳが配置されている。
【０１２３】
図１４（Ａ）〜１４（Ｃ）は、実施例５の撮像レンズ１５の諸収差図（球面収差、非点収差、歪曲収差）を示し、図１４（Ｄ）及び１４（Ｅ）は、実施例５の撮像レンズ１５の横収差を示している。
【０１２４】
〔実施例６〕
実施例６のレンズ面のデータを以下の表１６に示す。
〔表１６〕
面番号    r           d        nd       vd     eff. dia.
STO    INFINITY      0.0000                     2.700
2*      2.3251      0.6383   1.54470   56.2    2.700
3*     -9.2494      0.0521                     2.587
4*      1.7704      0.1967   1.63469   23.9    2.366
5*      1.1060      0.4161                     2.145
6 FS  INFINITY      0.2000                     2.140
7*    -28.2481      0.5027   1.54470   56.2    2.235
8*     -2.3290      0.0500                     2.513
9*     -3.8104      0.2954   1.54470   56      2.838
10*     13.5740      0.1000                     3.017
11*      2.7825      0.2564   1.63469   23.9    3.230
12*      2.1786      0.2785                     3.493
13*      5.0908      0.8611   1.54470   56.2    3.725
14*     -1.3327      0.3224                     4.063
15*     17.2266      0.3136   1.54470   56.2    5.048
16*      1.0912      0.5000                     5.404
17     INFINITY      0.1100   1.51633   64.1    6.000
18     INFINITY      0.3000
【０１２５】
実施例６のレンズ面の非球面係数を以下の表１７に示す。
〔表１７〕
第2面
K=1.24460e-001, A4=1.21359e-002, A6=-3.97961e-003, 
A8=1.88173e-003, A10=4.52445e-003, A12=-3.97779e-003, 
A14=1.25422e-003
第3面
K=-5.56414e+001, A4=9.20711e-002, A6=-1.09643e-001, 
A8=1.12194e-001, A10=-7.63506e-002, A12=2.99446e-002, 
A14=-4.86273e-003
第4面
K=-1.05152e+001, A4=3.23255e-002, A6=-6.92713e-002, 
A8=6.40918e-002, A10=-4.63078e-002, A12=1.91343e-002, 
A14=-3.54001e-003
第5面
K=-4.03485e+000, A3=-2.04589e-003, A4=-2.37788e-003, 
A5=8.85235e-003, A6=6.88449e-002, A8=-1.52149e-001, 
A10=1.66834e-001, A12=-9.65848e-002, A14=2.32001e-002
第7面
K=8.00000e+001, A3=-1.90401e-002, A4=5.72740e-002, 
A5=-2.08223e-001, A6=2.04455e-001, A8=-1.85643e-001, 
A10=1.56796e-001, A12=-8.93079e-002, A14=1.82997e-002
第8面
K=0.00000e+000, A4=-1.49708e-002, A6=-9.48676e-003, 
A8=-4.51000e-003, A10=-3.33351e-003, A12=-2.36607e-007
第9面
K=0.00000e+000, A4=-1.49364e-002, A6=1.24234e-003, 
A8=-1.01890e-003, A10=-2.09119e-003, A12=1.17089e-003
第10面
K=7.42360e+001, A3=-3.97455e-002, A4=-1.20038e-001, 
A5=1.06377e-001, A6=-1.02513e-001, A8=4.15394e-002, 
A10=-1.46593e-002, A12=2.14478e-003
第11面
K=-3.73865e+000, A3=-4.82487e-002, A4=-3.48917e-001, 
A5=3.62715e-001, A6=-2.70247e-001, A8=1.02059e-001, 
A10=-1.92714e-002, A12=9.07473e-004
第12面
K=-6.13581e-001, A3=-5.49125e-002, A4=-2.54842e-001, 
A5=1.47841e-001, A6=-5.04353e-002, A8=4.63083e-003, 
A10=5.97528e-003, A12=-1.95441e-003, A14=1.59273e-004
第13面
K=-6.65783e+001, A3=-3.86596e-002, A4=9.89763e-002, 
A5=-1.36689e-001, A6=8.42618e-002, A8=-3.93065e-002, 
A10=1.64657e-002, A12=-3.88643e-003, A14=3.91002e-004
第14面
K=-8.18820e+000, A3=-7.54710e-002, A4=-8.23716e-002, 
A5=1.08396e-001, A6=-1.21428e-002, A8=-1.77832e-002, 
A10=6.82192e-003, A12=-1.09890e-003, A14=6.27220e-005
第15面
K=3.55044e+001, A3=-1.10975e-001, A4=-8.95831e-002, 
A5=3.16786e-002, A6=2.20089e-002, A8=-2.41082e-003, 
A10=-3.27637e-004, A12=7.07156e-005, A14=-3.53132e-006
第16面
K=-5.69567e+000, A3=4.22797e-003, A4=-1.56719e-001, 
A5=1.15555e-001, A6=-2.94242e-002, A8=1.29740e-003, 
A10=-2.24042e-004, A12=3.11978e-005, A14=-1.47148e-006
【０１２６】
実施例６の撮像レンズの特性を以下に列挙する。
FL        3.786
Fno       1.44
w        75.44
Ymax      2.921
BF        0.910
TL        5.393
BFa       0.873
TLa       5.356
【０１２７】
実施例６の単レンズデータを以下の表１８に示す。
〔表１８〕
Elem   Surfs   Focal Length    Diameter
1     2- 3      3.4788        2.700
2     4- 5     -5.2461        2.366
3     7- 8      4.6284        2.513
4     9-10     -5.4296        3.017
5    11-12    -18.9337        3.493
6    13-14      2.0353        4.063
7    15-16     -2.1536        5.404
【０１２８】
図１５は、実施例６の撮像レンズ１６等の断面図である。撮像レンズ１６は、物体側より順に、光軸ＡＸ周辺で正の屈折力を有する両凸の第１レンズＬ１と、光軸ＡＸ周辺で負の屈折力を有し物体側に凸面を向けたメニスカスの第２レンズＬ２と、光軸ＡＸ周辺で正の屈折力を有し像側に凸面を向けた略平凸の第３レンズＬ３と、光軸ＡＸ周辺で負の屈折力を有し両凹の第４レンズＬ４と、光軸ＡＸ周辺で負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第１レンズＬ１の外縁の物体側には、開口絞り（ＳＴＯ）ＡＳが配置され、第２及び第３レンズＬ２，Ｌ３の間には、遮光絞りＦＳが配置されている。
【０１２９】
図１６（Ａ）〜１６（Ｃ）は、実施例６の撮像レンズ１６の諸収差図（球面収差、非点収差、歪曲収差）を示し、図１６（Ｄ）及び１６（Ｅ）は、実施例６の撮像レンズ１６の横収差を示している。
【０１３０】
〔実施例７〕
実施例７のレンズ面のデータを以下の表１９に示す。
〔表１９〕
面番号    r           d        nd       vd     eff. dia.
1 FS  INFINITY      0.0000                     2.700
2*      1.8014      0.7679   1.54470   56      2.625
3*    -25.8982      0.0500                     2.475
4*      2.4270      0.1500   1.63469   23.9    2.298
5*      1.2926      0.3640                     2.036
STO    INFINITY      0.0000                     2.018
7*      5.2123      0.2221   1.54000   45      2.104
8*      5.5759      0.2648                     2.227
9*     10.3502      0.7499   1.54470   56      2.389
10*     72.3374      0.1383                     2.985
11*     12.0553      0.2000   1.63469   23.9    3.331
12*      8.7474      0.2952                     3.439
13*      5.7117      0.5640   1.54470   56      3.785
14*     -1.6943      0.2600                     4.142
15*    -16.2033      0.3139   1.54470   56      4.544
16*      1.1957      0.4000                     5.133
17     INFINITY      0.1100   1.51633   64.1    5.483
18     INFINITY      0.4000
【０１３１】
実施例７のレンズ面の非球面係数を以下の表２０に示す。
〔表２０〕
第2面
K=-7.40221e-001, A4=2.10580e-002, A6=5.74015e-003, 
A8=-4.21666e-003, A10=8.06261e-003, A12=-5.09104e-003, 
A14=1.41277e-003
第3面
K=8.00000e+001, A4=7.41141e-002, A6=-1.05055e-001, 
A8=1.13053e-001, A10=-7.90913e-002, A12=3.26106e-002, 
A14=-5.75829e-003
第4面
K=-2.29584e+001, A4=-5.67348e-003, A6=-5.78075e-002, 
A8=7.21621e-002, A10=-3.89383e-002, A12=1.46210e-002, 
A14=-3.54001e-003
第5面
K=-5.41421e+000, A3=-2.92949e-003, A4=8.18736e-003, 
A5=1.57701e-002, A6=4.97446e-002, A8=-1.26949e-001, 
A10=1.76346e-001, A12=-1.11323e-001, A14=3.21164e-002
第7面
K=-3.57283e+001, A3=-1.52257e-002, A4=3.17311e-002, 
A5=-1.75461e-001, A6=2.34233e-001, A8=-1.99640e-001, 
A10=1.33457e-001, A12=-5.85237e-002, A14=2.02494e-002
第8面
K=1.35931e+001, A3=-4.08096e-003, A4=-1.33577e-001, 
A5=4.78874e-003, A6=5.71950e-002, A8=-4.70554e-002, 
A10=1.39246e-003, A12=1.17779e-002, A14=1.56720e-003
第9面
K=3.64032e+001, A3=2.31875e-005, A4=-1.05039e-001, 
A5=4.30647e-003, A6=-3.60461e-004, A8=-8.17235e-003, 
A10=-9.45932e-003, A12=9.32529e-003, A14=-1.86514e-003
第10面
K=-8.00000e+001, A3=-2.90834e-002, A4=-9.73707e-002, 
A5=8.47935e-002, A6=-1.07118e-001, A8=5.12085e-002, 
A10=-1.58276e-002, A12=2.20358e-003
第11面
K=1.66508e+001, A3=-6.88585e-003, A4=-3.29408e-001, 
A5=3.72791e-001, A6=-2.62951e-001, A8=9.76559e-002, 
A10=-2.10110e-002, A12=1.50623e-003
第12面
K=1.28367e+001, A3=-7.28568e-003, A4=-2.51421e-001, 
A5=1.57235e-001, A6=-5.27596e-002, A8=7.28793e-003, 
A10=6.57310e-003, A12=-2.35825e-003, A14=1.80059e-004
第13面
K=4.12029e+000, A3=-2.00816e-002, A4=3.63279e-002, 
A5=-1.32483e-001, A6=1.10028e-001, A8=-4.93752e-002, 
A10=1.55553e-002, A12=-2.40542e-003, A14=1.56883e-004
第14面
K=-1.15262e+001, A3=-4.55317e-002, A4=-1.24586e-002, 
A5=6.92369e-002, A6=-1.69062e-002, A8=-1.65327e-002, 
A10=6.92685e-003, A12=-1.07562e-003, A14=5.41552e-005
第15面
K=-7.30298e+001, A3=-1.23670e-001, A4=-7.79516e-002, 
A5=3.89205e-002, A6=2.27987e-002, A8=-3.25600e-003, 
A10=-3.64818e-004, A12=8.98752e-005, A14=-4.59874e-006
第16面
K=-6.05733e+000, A3=-7.93201e-002, A4=-7.54336e-002, 
A5=9.94779e-002, A6=-3.51158e-002, A8=1.99822e-003, 
A10=-1.82351e-004, A12=1.55595e-005, A14=-3.80652e-007
【０１３２】
実施例７の撮像レンズの特性を以下に列挙する。
FL        4.188
Fno       1.60
w        70.00
Ymax      2.921
BF        0.910
TL        5.250
BFa       0.873
TLa       5.213
【０１３３】
実施例７の単レンズデータを以下の表２１に示す。
〔表２１〕
Elem   Surfs   Focal Length    Diameter
1     2- 3      3.1226        2.625
2     4- 5     -4.5927        2.298
3     7- 8    121.9205        2.227
4     9-10     22.0802        2.985
5    11-12    -51.4344        3.439
6    13-14      2.4652        4.142
7    15-16     -2.0314        5.133
【０１３４】
図１７は、実施例７の撮像レンズ１７等の断面図である。撮像レンズ１７は、物体側より順に、光軸ＡＸ周辺で正の屈折力を有し物体側に凸面を向けた略凸平の第１レンズＬ１と、光軸ＡＸ周辺で負の屈折力を有し物体側に凸面を向けたメニスカスの第２レンズＬ２と、光軸ＡＸ周辺で弱い正の屈折力を有し物体側に凸面を向けたメニスカスの第３レンズＬ３と、光軸ＡＸ周辺で弱い正の屈折力を有し物体側に凸面を向けた略凸平の第４レンズＬ４と、光軸ＡＸ周辺で弱い負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有する両凹の第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置され、第１レンズＬ１の外縁の物体側には、遮光絞りＦＳが配置されている。
【０１３５】
図１８（Ａ）〜１８（Ｃ）は、実施例７の撮像レンズ１７の諸収差図（球面収差、非点収差、歪曲収差）を示し、図１８（Ｄ）及び１８（Ｅ）は、実施例７の撮像レンズ１７の横収差を示している。
【０１３６】
〔実施例８〕
実施例８のレンズ面のデータを以下の表２２に示す。
〔表２２〕
面番号    r           d        nd       vd     eff. dia.
1 FS  INFINITY     -0.1500                     2.700
2*      2.5717      0.6047   1.54470   56      2.610
3*     -7.0453      0.1420                     2.497
STO    INFINITY      0.0000                     2.393
5*      1.8236      0.1687   1.63469   23.9    2.264
6*      1.1019      0.4572                     2.108
7 FS  INFINITY      0.1000                     2.080
8*     37.1918      0.3890   1.54470   56      2.135
9*    -21.8268      0.1039                     2.412
10*      8.3148      0.5705   1.54470   56      2.767
11*      8.1875      0.1528                     3.061
12*      2.6709      0.2002   1.63469   23.9    3.376
13*      4.4625      0.3514                     3.442
14*    -18.8765      0.6658   1.54470   56      3.617
15*     -1.0741      0.2265                     3.959
16*    -34.1129      0.3255   1.54470   56      4.849
17*      0.9139      0.4000                     5.376
18     INFINITY      0.1100   1.51633   64.1    6.000
19     INFINITY      0.4068
【０１３７】
実施例８のレンズ面の非球面係数を以下の表２３に示す。
〔表２３〕
第2面
K=-4.83126e+000, A4=4.41063e-002, A6=-6.70306e-003, 
A8=9.50319e-005, A10=5.51386e-003, A12=-3.75901e-003, 
A14=1.10559e-003
第3面
K=4.36307e+000, A4=1.02298e-001, A6=-1.10820e-001, 
A8=1.13887e-001, A10=-7.73968e-002, A12=3.02679e-002, 
A14=-4.85976e-003
第5面
K=-1.05288e+001, A4=8.03773e-003, A6=-6.31082e-002, 
A8=7.23894e-002, A10=-5.66858e-002, A12=2.19704e-002, 
A14=-3.54000e-003
第6面
K=-3.83762e+000, A3=3.29363e-004, A4=-2.84048e-002, 
A5=-2.17539e-003, A6=8.56233e-002, A8=-1.51213e-001, 
A10=1.60736e-001, A12=-9.79742e-002, A14=2.46623e-002
第8面
K=1.89728e+001, A3=-1.68594e-002, A4=4.52334e-002, 
A5=-2.02623e-001, A6=2.12537e-001, A8=-1.83276e-001, 
A10=1.49874e-001, A12=-8.31354e-002, A14=1.63616e-002
第9面
K=0.00000e+000, A4=-1.28346e-001, A6=1.68384e-002, 
A8=-1.39014e-003, A10=-3.16422e-003, A12=-1.96502e-003
第10面
K=0.00000e+000, A4=-1.07253e-001, A6=1.33674e-002, 
A8=8.06280e-003, A10=-3.12697e-003, A12=-2.27241e-005
第11面
K=2.56707e+001, A3=-1.20100e-001, A4=-6.97855e-002, 
A5=1.11286e-001, A6=-1.14865e-001, A8=4.31103e-002, 
A10=-1.23434e-002, A12=1.21780e-003
第12面
K=-2.92093e+000, A3=-7.14420e-002, A4=-3.41254e-001, 
A5=3.68325e-001, A6=-2.69803e-001, A8=9.93874e-002, 
A10=-1.96777e-002, A12=1.33253e-003
第13面
K=-2.13816e+000, A3=3.31706e-002, A4=-2.71094e-001, 
A5=1.37274e-001, A6=-4.95022e-002, A8=6.95182e-003, 
A10=6.40153e-003, A12=-2.02137e-003, A14=1.40635e-004
第14面
K=-7.97432e+001, A3=2.83515e-002, A4=4.51436e-002, 
A5=-1.14595e-001, A6=8.66370e-002, A8=-4.36467e-002, 
A10=1.65817e-002, A12=-3.57472e-003, A14=3.46104e-004
第15面
K=-6.84343e+000, A3=-3.72253e-002, A4=-8.26052e-002, 
A5=9.87743e-002, A6=-1.12312e-002, A8=-1.75794e-002, 
A10=6.75883e-003, A12=-1.08801e-003, A14=6.54569e-005
第16面
K=7.96137e+001, A3=-8.98099e-002, A4=-9.22669e-002, 
A5=3.26750e-002, A6=2.22238e-002, A8=-2.53460e-003, 
A10=-3.34788e-004, A12=7.56831e-005, A14=-3.86230e-006
第17面
K=-6.46364e+000, A3=1.49818e-004, A4=-1.42290e-001, 
A5=1.12197e-001, A6=-3.04811e-002, A8=1.31927e-003, 
A10=-2.22673e-004, A12=3.03972e-005, A14=-1.32693e-006
【０１３８】
実施例８の撮像レンズの特性を以下に列挙する。
FL        3.793
Fno       1.44
w        75.44
Ymax      2.921
BF        0.917
TL        5.375
BFa       0.879
TLa       5.337
【０１３９】
実施例８の単レンズデータを以下の表２４に示す。
〔表２４〕
Elem   Surfs   Focal Length    Diameter
1     2- 3      3.5372        2.610
2     5- 6     -4.8250        2.264
3     8- 9     25.3105        2.412
4    10-11   1691.5727        3.061
5    12-13     10.0455        3.442
6    14-15      2.0637        3.959
7    16-17     -1.6287        5.376
【０１４０】
図１９は、実施例８の撮像レンズ１８等の断面図である。撮像レンズ１８は、物体側より順に、光軸ＡＸ周辺で正の屈折力を有する両凸の第１レンズＬ１と、光軸ＡＸ周辺で負の屈折力を有し物体側に凸面を向けたメニスカスの第２レンズＬ２と、光軸ＡＸ周辺で弱い正の屈折力を有する略平板の第３レンズＬ３と、光軸ＡＸ周辺で弱い正の屈折力を有し物体側に凸面を向けたメニスカスの第４レンズＬ４と、光軸ＡＸ周辺で正の屈折力を有し物体側に凸面を向けたメニスカスの第５レンズＬ５と、光軸ＡＸ周辺で正の屈折力を有し像側に凸面を向けたメニスカスの第６レンズＬ６と、光軸ＡＸ周辺で負の屈折力を有し像側に凹面を向けた略平凹の第７レンズＬ７とを備える。全てのレンズＬ１〜Ｌ７は、プラスチック材料から形成されている。第１及び第２レンズＬ１，Ｌ２の間には、開口絞り（ＳＴＯ）ＡＳが配置され、第１レンズＬ１の外縁の物体側と、第２及び第３レンズＬ２，Ｌ３の間とには、遮光絞りＦＳが配置されている。
【０１４１】
図２０（Ａ）〜２０（Ｃ）は、実施例８の撮像レンズ１８の諸収差図（球面収差、非点収差、歪曲収差）を示し、図２０（Ｄ）及び２０（Ｅ）は、実施例８の撮像レンズ１８の横収差を示している。
【０１４２】
〔実施例９〕
実施例９のレンズ面のデータを以下の表２５に示す。
〔表２５〕
面番号    r           d        nd       vd     eff. dia.
1 FS  INFINITY      0.0000                     2.700
2*      2.0234      0.7031   1.54470   56      2.625
3*     -8.9993      0.0500                     2.495
STO   INFINITY      0.0000                     2.460
5*      2.1912      0.1872   1.63469   23.9    2.290
6*      1.2026      0.3963                     2.047
7 FS  INFINITY      0.1500                     2.100
8*     33.0211      0.3000   1.54470   56      2.181
9*     20.3240      0.0921                     2.421
10*      4.4582      0.7987   1.54470   56      3.025
11*     10.7911      0.2198                     3.263
12*     -5.5339      0.2000   1.63469   23.9    3.446
13*     -2.7265      0.0500                     3.718
14*    -19.7175      0.5492   1.54470   56      3.820
15*     -4.1358      0.2779                     4.230
16*      1.2438      0.3411   1.54470   56      4.832
17*      0.7091      0.4000                     5.347
18     INFINITY      0.1100   1.51633   64.1    5.642
19     INFINITY      0.3350
【０１４３】
実施例９のレンズ面の非球面係数を以下の表２６に示す。
〔表２６〕
第2面
K=-1.39095e+000, A4=2.74220e-002, A6=6.42703e-003, 
A8=-7.94158e-003, A10=9.75374e-003, A12=-4.65859e-003, 
A14=1.00516e-003
第3面
K=-8.00000e+001, A4=9.80286e-002, A6=-1.24570e-001, 
A8=1.24848e-001, A10=-8.16542e-002, A12=3.04880e-002, 
A14=-4.86278e-003
第5面
K=-1.93604e+001, A4=4.28866e-002, A6=-8.93068e-002, 
A8=9.66026e-002, A10=-6.67212e-002, A12=2.43946e-002, 
A14=-3.54002e-003
第6面
K=-3.94629e+000, A3=-1.27730e-002, A4=-3.64851e-002, 
A5=3.27652e-002, A6=1.01463e-001, A8=-1.58322e-001, 
A10=1.37490e-001, A12=-6.69981e-002, A14=1.50187e-002
第8面
K=8.00000e+001, A3=-4.90380e-002, A4=1.34760e-001, 
A5=-3.81210e-001, A6=3.26202e-001, A8=-1.70718e-001, 
A10=7.59383e-002, A12=-2.16692e-002, A14=1.81216e-003
第9面
K=0.00000e+000, A4=-2.68988e-001, A6=1.73129e-001, 
A8=-8.56192e-002, A10=2.18613e-002, A12=-1.97464e-003
第10面
K=0.00000e+000, A4=-2.58118e-001, A6=1.43930e-001, 
A8=-2.48977e-002, A10=-8.75304e-004, A12=6.19381e-004
第11面
K=3.28638e+001, A3=-3.60092e-002, A4=-1.23393e-001, 
A5=7.04971e-002, A6=-8.98671e-002, A8=6.06511e-002, 
A10=-2.10678e-002, A12=3.25224e-003
第12面
K=7.14544e+000, A3=-3.46988e-002, A4=-2.03350e-001, 
A5=3.75098e-001, A6=-2.89325e-001, A8=9.05873e-002, 
A10=-1.87320e-002, A12=1.50386e-003
第13面
K=8.75551e-001, A3=3.25418e-001, A4=-4.06240e-001, 
A5=1.73562e-001, A6=-3.24475e-002, A8=3.99963e-003, 
A10=4.74560e-003, A12=-1.81839e-003, A14=1.62471e-004
第14面
K=3.80208e+001, A3=3.95727e-001, A4=-2.73772e-001, 
A5=-7.77810e-002, A6=1.56779e-001, A8=-5.98064e-002, 
A10=1.42828e-002, A12=-2.27568e-003, A14=2.01690e-004
第15面
K=-8.00000e+001, A3=-3.12479e-001, A4=3.60011e-001, 
A5=-4.55743e-002, A6=-2.78295e-002, A8=-1.60820e-002, 
A10=6.31768e-003, A12=-8.45855e-004, A14=4.54774e-005
第16面
K=-1.39025e+001, A3=-3.40057e-001, A4=1.72052e-002, 
A5=3.95350e-002, A6=1.70899e-002, A8=-3.54178e-003, 
A10=-2.92023e-004, A12=1.01459e-004, A14=-6.32294e-006
第17面
K=-5.56221e+000, A3=-1.16361e-002, A4=-2.01889e-001, 
A5=1.68552e-001, A6=-4.68669e-002, A8=1.72489e-003, 
A10=-1.38224e-004, A12=1.50601e-005, A14=-5.50199e-007
【０１４４】
実施例９の撮像レンズの特性を以下に列挙する。
FL        3.792
Fno       1.44
w        75.44
Ymax      2.921
BF        0.845
TL        5.160
BFa       0.808
TLa       5.123
【０１４５】
実施例９の単レンズデータを以下の表２７に示す。
〔表２７〕
Elem   Surfs   Focal Length    Diameter
1     2- 3      3.1026        2.625
2     5- 6     -4.5329        2.290
3     8- 9    -97.8521        2.421
4    10-11     13.3524        3.263
5    12-13      8.2401        3.718
6    14-15      9.4902        4.230
7    16-17     -3.9065        5.347
【０１４６】
図２１は、実施例９の撮像レンズ１９等の断面図である。撮像レンズ１９は、物体側より順に、光軸ＡＸ周辺で正の屈折力を有する両凸の第１レンズＬ１と、光軸ＡＸ周辺で負の屈折力を有し物体側に凸面を向けたメニスカスの第２レンズＬ２と、光軸ＡＸ周辺で弱い負の屈折力を有する略平板状の第３レンズＬ３と、光軸ＡＸ周辺で正の屈折力を有し物体側に凸面を向けたメニスカスの第４レンズＬ４と、光軸ＡＸ周辺で正の屈折力を有し像側に凸面を向けたメニスカスの第５レンズＬ５と、光軸ＡＸ周辺で正の屈折力を有し像側に凸面を向けたメニスカスの第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第１及び第２レンズＬ１，Ｌ２の間には、開口絞り（ＳＴＯ）ＡＳが配置され、第１レンズＬ１の外縁の物体側と、第２及び第３レンズＬ２，Ｌ３の間とには、遮光絞りＦＳが配置されている。
【０１４７】
図２２（Ａ）〜２２（Ｃ）は、実施例９の撮像レンズ１９の諸収差図（球面収差、非点収差、歪曲収差）を示し、図２２（Ｄ）及び２２（Ｅ）は、実施例９の撮像レンズ１９の横収差を示している。
【０１４８】
〔実施例１０〕
実施例１０のレンズ面のデータを以下の表２８に示す。
〔表２８〕
面番号    r           d        nd       vd     eff. dia.
1 FS  INFINITY     -0.2000                     2.700
2*      1.7926      0.7626   1.54470   56      2.625
3*   -113.1622      0.0500                     2.469
4*      2.0165      0.1500   1.64250   22.5    2.266
5*      1.2311      0.3674                     2.020
STO    INFINITY      0.0000                     2.018
7*      4.9714      0.1916   1.54470   56      1.984
8*      4.3740      0.1263                     2.117
9 FS  INFINITY      0.1000                     2.300
10*      7.2467      0.6640   1.54470   56      2.353
11*     17.5412      0.1156                     2.897
12*      9.4860      0.2000   1.63469   23.9    3.275
13*      7.6337      0.2788                     3.347
14*      4.8348      0.5099   1.54470   56      3.683
15*     -1.9176      0.2670                     4.073
16*     16.6282      0.3070   1.54470   56      4.440
17*      1.1354      0.7000                     4.979
18     INFINITY      0.1100   1.51633   64.1    5.731
19     INFINITY      0.0998
【０１４９】
実施例１０のレンズ面の非球面係数を以下の表２９に示す。
〔表２９〕
第2面
K=-7.32448e-001, A4=2.12231e-002, A6=6.01622e-003, 
A8=-4.42254e-003, A10=8.28630e-003, A12=-5.19321e-003, 
A14=1.46425e-003
第3面
K=2.28201e+001, A4=6.82123e-002, A6=-9.93415e-002, 
A8=1.09933e-001, A10=-7.95018e-002, A12=3.36150e-002, 
A14=-6.08554e-003
第4面
K=-1.26928e+001, A4=3.42206e-003, A6=-7.10144e-002, 
A8=7.46353e-002, A10=-3.63313e-002, A12=1.26443e-002, 
A14=-3.53992e-003
第5面
K=-4.48550e+000, A3=1.82361e-003, A4=3.33830e-003, 
A5=1.21468e-002, A6=4.89244e-002, A8=-1.25901e-001, 
A10=1.77743e-001, A12=-1.10878e-001, A14=3.09625e-002
第7面
K=-3.73773e+001, A3=-1.25000e-002, A4=3.00205e-002, 
A5=-1.74971e-001, A6=2.33954e-001, A8=-1.97628e-001, 
A10=1.32321e-001, A12=-6.23170e-002, A14=2.40171e-002
第8面
K=9.87345e+000, A3=-9.49519e-003, A4=-1.30748e-001, 
A5=2.64057e-003, A6=5.47750e-002, A8=-4.64005e-002, 
A10=-2.01369e-003, A12=9.48386e-003, A14=4.85948e-003
第10面
K=2.77556e+001, A3=-3.00569e-003, A4=-9.96057e-002, 
A5=4.90875e-003, A6=3.29525e-003, A8=-8.50991e-003, 
A10=-1.21297e-002, A12=1.19899e-002, A14=-1.27631e-003
第11面
K=-8.00000e+001, A3=-2.32217e-002, A4=-9.75271e-002, 
A5=8.65383e-002, A6=-1.05897e-001, A8=5.17257e-002, 
A10=-1.57755e-002, A12=2.73074e-003
第12面
K=2.53322e+001, A3=1.31110e-002, A4=-3.38542e-001, 
A5=3.76536e-001, A6=-2.61788e-001, A8=9.73605e-002, 
A10=-2.13223e-002, A12=1.55861e-003
第13面
K=1.44930e+001, A3=4.49894e-003, A4=-2.56010e-001, 
A5=1.53023e-001, A6=-4.93515e-002, A8=7.42384e-003, 
A10=6.52683e-003, A12=-2.39653e-003, A14=1.77958e-004
第14面
K=3.66614e+000, A3=-2.07704e-002, A4=3.71577e-002, 
A5=-1.33577e-001, A6=1.09656e-001, A8=-4.95926e-002, 
A10=1.56191e-002, A12=-2.48831e-003, A14=1.75730e-004
第15面
K=-1.92320e+001, A3=-1.17213e-001, A4=6.44529e-002, 
A5=4.54852e-002, A6=-1.75417e-002, A8=-1.54415e-002, 
A10=6.78594e-003, A12=-1.09352e-003, A14=5.85870e-005
第16面
K=8.56893e+000, A3=-2.17398e-001, A4=-4.20510e-002, 
A5=4.34765e-002, A6=2.12869e-002, A8=-3.70499e-003, 
A10=-3.61592e-004, A12=9.74898e-005, A14=-4.92407e-006
第17面
K=-6.13137e+000, A3=-1.08921e-001, A4=-5.65300e-002, 
A5=9.82497e-002, A6=-3.75212e-002, A8=2.17622e-003, 
A10=-1.88382e-004, A12=9.43182e-006, A14=6.05016e-007
【０１５０】
実施例１０の撮像レンズの特性を以下に列挙する。
FL        4.027
Fno       1.53
w        72.16
Ymax      2.921
BF        0.910
TL        5.000
BFa       0.872
TLa       4.962
【０１５１】
実施例１０の単レンズデータを以下の表３０に示す。
〔表３０〕
Elem   Surfs   Focal Length    Diameter
1     2- 3      3.2473        2.625
2     4- 5     -5.3172        2.266
3     7- 8    -75.3346        2.117
4    10-11     22.1651        2.897
5    12-13    -64.2873        3.347
6    14-15      2.5897        4.073
7    16-17     -2.2530        4.979
【０１５２】
図２３は、実施例１０の撮像レンズ２０等の断面図である。撮像レンズ２０は、物体側より順に、光軸ＡＸ周辺で正の屈折力を有し物体側に凸面を向けた略凸平の第１レンズＬ１と、光軸ＡＸ周辺で負の屈折力を有し物体側に凸面を向けたメニスカスの第２レンズＬ２と、光軸ＡＸ周辺で弱い負の屈折力を有し物体側に凸面を向けたメニスカスの第３レンズＬ３と、光軸ＡＸ周辺で弱い正の屈折力を有し物体側に凸面を向けたメニスカスの第４レンズＬ４と、光軸ＡＸ周辺で弱い負の屈折力を有し物体側に凸面を向けたメニスカスの第５レンズＬ５と、光軸ＡＸ周辺で正の屈折力を有する両凸の第６レンズＬ６と、光軸ＡＸ周辺で負の屈折力を有し像側に凹面を向けたメニスカスの第７レンズＬ７とを備える。全てのレンズＬ１〜Ｌ７は、プラスチック材料から形成されている。第２及び第３レンズＬ２，Ｌ３の間には、開口絞り（ＳＴＯ）ＡＳが配置され、第１レンズＬ１の外縁の物体側と、第３及び第４レンズＬ３，Ｌ４の間とには、遮光絞りＦＳが配置されている。
【０１５３】
図２４（Ａ）〜２４（Ｃ）は、実施例１０の撮像レンズ２０の諸収差図（球面収差、非点収差、歪曲収差）を示し、図２４（Ｄ）及び２４（Ｅ）は、実施例１０の撮像レンズ２０の横収差を示している。
【０１５４】
以下の表３１は、参考のため、各条件式（１）〜（１２）に対応する各実施例１〜１０の値をまとめたものである。
〔表３１〕
2015072403.tif 000004
【０１５５】
以上では、実施形態や実施例に即して本発明を説明したが、本発明は、上記実施形態等に限定されるものではない。例えば、開口絞りＡＳは、鏡筒部分５４ａに直接的に支持させることができるが、これに隣接する１つのレンズの外側に延びるフランジ部に固定することができ、あるいは隣接する一対のレンズの外側に延びるフランジ部に挟んで固定することができる。遮光絞りＦＳも、鏡筒部分５４ａに直接的に支持させることができるが、これに隣接する１つのレンズの外側に延びるフランジ部に固定することができ、あるいは隣接する一対のレンズの外側に延びるフランジ部に挟んで固定することができる。
【０１５６】
開口絞りＡＳや遮光絞りＦＳは、金属板に限らず、樹脂又はセラミックスの板状部材とすることができ、レンズのフランジ部を遮光性の材料で塗装することによっても組み込むことができる。さらに、開口絞りＡＳや遮光絞りＦＳは、完全な遮光体に限らず、口径外で減光を行うものであってもよい。遮光絞りＦＳを遮光板等とする場合、一対のレンズ間に複数の遮光板等を配置することもできる。
【０１５７】
１０，１１〜２０…撮像レンズ、  ５０…カメラモジュール、  ５１…撮像素子、  １００…撮像装置、  ３００…携帯通信端末、  ＡＸ…光軸、  Ｌ１−Ｌ７…レンズ、  ＡＳ，ＦＳ…絞り
【図１】
2015072403.tif 000005
【図２】
2015072403.tif 000006
【図３】
2015072403.tif 000007
【図４】
2015072403.tif 000008
【図５】
2015072403.tif 000009
【図６】
2015072403.tif 000010
【図７】
2015072403.tif 000011
【図８】
2015072403.tif 000012
【図９】
2015072403.tif 000013
【図１０】
2015072403.tif 000014
【図１１】
2015072403.tif 000015
【図１２】
2015072403.tif 000016
【図１３】
2015072403.tif 000017
【図１４】
2015072403.tif 000018
【図１５】
2015072403.tif 000019
【図１６】
2015072403.tif 000020
【図１７】
2015072403.tif 000021
【図１８】
2015072403.tif 000022
【図１９】
2015072403.tif 000023
【図２０】
2015072403.tif 000024
【図２１】
2015072403.tif 000025
【図２２】
2015072403.tif 000026
【図２３】
2015072403.tif 000027
【図２４】
2015072403.tif 000028